(57)【要約】【課題】  ポットを必要とせずに育苗用の根鉢を収納し運搬するための育苗用トレー構造、この育苗用トレー構造を作製する方法及びこの方法に用いられる複合トレーを提供しようとする。【解決手段】  上方に開口した籠容器が連設されてなり根鉢が該籠容器に収納されることとなる育苗用トレーと、該籠容器の外側に該籠容器の側部及び底部を囲んで着脱自在に装着される、上方に開口した囲み容器とを備える、複合トレーであり、上方に開口した籠容器が連設されてなる育苗用トレーと、該籠容器にポットを介さずに収納された根鉢とを含む、育苗用トレー構造である。又、前記複合トレーを準備する工程と、前記育苗用トレーに前記囲み容器を装着する工程と、前記囲み容器に培地を充填する工程と、充填された該培地に苗を根付かせる工程と、前記囲み容器を前記トレーから外す工程とを含む育苗用トレー構造製作方法である。【選択図】  図１４
2005095115.tif 000002
【特許請求の範囲】
【請求項１】
上方に開口したポット状容器が連設されてなる育苗用トレーと、該ポット状容器の外側に該ポット状容器の側部及び底部を囲んで着脱自在に装着される、上方に開口した囲み容器とを備える複合トレー。
【請求項２】
前記ポット状容器が籠状である請求項１に記載の複合トレー。
【請求項３】
前記囲み容器が連設された請求項１又は２に記載の複合トレー。
【請求項４】
前記囲み容器が金属製である請求項１乃至３のいずれかに記載の複合トレー。
【請求項５】
前記囲み容器の壁に短径が０．１〜６ｍｍの複数の孔が形成されている請求項１乃至４のいずれかに記載の複合トレー。
【請求項６】
前記育苗用トレーが複数の格子ユニットから成る格子状の上部枠を備え、隣接の前記ポット状容器が該格子ユニットの辺部を介して該ポット状容器の上縁部で連接され、前記辺部に前記格子ユニットを一巡する方向に沿って延びる複数のスリットが形成され、
前記囲み容器の上縁部に複数の切り込みが形成され、
隣接の該切り込みの間に形成された囲い片部のそれぞれが対応の前記スリットに挿通されて前記辺部から上方に突出する請求項１乃至５のいずれかに記載の複合トレー。
【請求項７】
前記ポット状容器の上縁部分に切り欠きが形成された請求項１乃至５のいずれかに記載の複合トレー。
【請求項８】
前記ポット状容器が、前記ポット状容器の上縁部の前記切り欠きが形成された部分の外側に、指先挿入室を備え、
前記指先挿入室は、指先を挿入できる上部開口部と側部開口部とを有し、
前記上部開口部と前記側部開口部とが前記側部開口部の上部で導通し、
前記ポット状容器の内部空間と前記指先挿入室の内部空間とが前記切り欠き及び前記側部開口部を介して導通し、
前記指先挿入室と前記ポット状容器との間に前記囲み容器の上縁周部が挿入される隙間が設けられた請求項７に記載の複合トレー。
【請求項９】
前記囲み容器が、前記ポット状容器に装着されたときに、前記囲み容器の上縁部が、前記ポット状容器の上縁部より上方に位置する請求項１乃至５のいずれかに記載の複合トレー。
【請求項１０】
上方に開口したポット状容器が連設されてなる育苗用トレーと、該ポット状容器にポットを介さずに収まっている根鉢とを含み、該根鉢の培土部分の上部が該容器の上縁より上方に突出た、ポットレストレー構造。
【請求項１１】
上方に開口したポット状容器が連設されてなる育苗用トレーと、該ポット状容器にポットを介さずに収まっている根鉢とを含み、前記容器の上縁部分に切り欠きが形成されたポットレストレー構造。
【請求項１２】
前記ポット状容器が籠状である請求項１０又は１１に記載のポットレストレー構造。
【請求項１３】
前記根鉢を構成する培土が、加熱により固化する培土が固化して成る固化培土を含んで成る請求項１０乃至１２のいずれかに記載のポットレストレー構造。
【請求項１４】
上方に開口したポット状容器が連設されてなる育苗用トレーと、該ポット状容器に収まっている、加熱により固化する培土が固化して成る固化培土とを含むポットレストレー構造。
【請求項１５】
上方に開口した箱形の育苗用トレーと、該箱形の育苗用トレーに収まっている、加熱により固化する培土が固化して成る固化培土とを含むポットレストレー構造。
【請求項１６】
前記箱形の育苗用トレーの壁又は前記ポット状容器の壁に短径が０．１〜６ｍｍの複数の孔が形成されている請求項１４又は１５に記載のポットレストレー構造。
【請求項１７】
前記固化培土の上面に凹陥部が形成された請求項１３乃至１６のいずれかに記載のポットレストレー構造。
【請求項１８】
前記箱形の育苗用トレー又は前記ポット状容器が籠状である請求項１４乃至１７のいずれかに記載のポットレストレー構造。
【請求項１９】
前記箱形の育苗用トレー又は前記ポット状容器が金属製である請求項１４〜１８のいずれかに記載のポットレストレー構造。
【請求項２０】
前記固化培土に苗が植生された請求項１４乃至１９のいずれかに記載のポットレストレー構造。
【請求項２１】
前記固化培土に複数の苗が植生された請求項２０に記載のポットレストレー構造。
【請求項２２】
請求項１４〜２１のいずれかに記載のポットレストレー構造に用いられる前記箱形の育苗用トレー、又は前記ポット状容器が連設されてなる育苗用トレー、から成る育苗用トレー。
【請求項２３】
請求項２２に記載の前記育苗用トレーを準備する工程と、
前記ポット状容器又は前記箱形の育苗用トレーに前記培土を充填する工程と、
前記培土を加熱し前記固化培土を得る工程と、
を含むポットレストレー構造作製方法。
【請求項２４】
前記固化培土に苗を植生する工程を含む請求項２３に記載のポットレストレー構造作製方法。
【請求項２５】
請求項１乃至９のいずれかに記載の複合トレーを準備する工程と、
前記育苗用トレーに前記囲み容器を装着する工程と、
前記囲み容器に培土を充填する工程と、
充填された該培土に苗を根付かせる工程と、
前記囲み容器を前記トレーから外す工程と
を含むポットレストレー構造製作方法。
【請求項２６】
前記培土が加熱により固化する培土であり、
充填された前記培土を加熱して固化する工程を含む請求項２５に記載のポットレストレー構造製作方法。
【請求項２７】
型片を準備する工程と、
該型片を前記囲み容器内上部又は前記ポット状容器内上部又は前記箱形の育苗用トレー内上部に一時固定する工程と、
充填された前記培土を加熱する工程の後に、前記型片を撤去する工程とを含む、請求項２３、２４、２６のいずれかに記載のポットレストレー構造製作方法。
【請求項２８】
前記型片を裏面に備える蓋を準備する工程を含み、
該型片を一時固定する工程が、前記培土を充填した後、前記囲み容器又は前記ポット状容器又は前記箱形の育苗用トレーに該蓋をして、前記型片を前記培土にくいこませて、充填された前記培土の上面に凹陥部を形成する工程である請求項２７に記載のポットレストレー構造製作方法。
【請求項２９】
型容器を準備する工程と、
型片を準備する工程と、
該型片を前記型容器内上部に一時固定する工程と、
前記型容器に加熱により固化する培土を充填する工程と、
充填された前記培土を加熱する工程とを含む固化培土の製造方法。
【請求項３０】
請求項２８に記載のポットレストレー構造製作方法、又は請求項２９に記載の固化培土の製造方法に用いるものであり、
複数の前記型片が格子状に配置され各該型片の上面と接合された連結棒を介して互いに連結された連結型片。
【請求項３１】
請求項２８に記載のポットレストレー構造製作方法、又は請求項２９に記載の固化培土の製造方法に用いるものであり、前記型片の下面から棒部材が垂下して成り、該棒部材の下端が、前記型容器又は前記ポット状容器又は前記囲み容器又は前記箱形の育苗用トレーの内底に設けられた係合子に係合して前記型片が一時固定されることを特徴とする型片治具。
【請求項３２】
上方に開口した箱形の育苗用トレーと、該育苗用トレーの外側に該育苗用トレーの側部及び底部を囲んで着脱自在に装着される、上方に開口した囲み容器とを備える複合トレー。
【請求項３３】
請求項１乃至９のいずれかに記載の複合トレーに用いられる前記囲み容器であって、該囲み容器の外側面又は外底面から垂下する脚を備える囲み容器。
【請求項３４】
基板と、該基板から該基板の面方向と直交して垂下する脚部を備え、培土が収まった状態で重畳された、上方に開口したポット状容器が連設されてなる育苗用トレー、の間に介在することとなるスペーサ。
【請求項３５】
加熱により固化する培土が固化された固化培土に苗が植生された固形培土付き根鉢を箱容器内に載置し、該箱容器内に水を貯留させて該固形培土の少なくとも一部が該水の水面下に没した状態とすることを特徴とする苗の育成方法。
【請求項３６】
前記固形培土付き根鉢が請求項１３、２０、２１のいずれかに記載のポットレストレー構造に記載の前記根鉢である請求項３５に記載の苗の育成方法。
【請求項３７】
前記根鉢に水性植物が植生された請求項３５又は３６に記載の苗の育成方法。
【請求項３８】
前記水を水循環手段を経由して循環させる請求項３５乃至３７のいずれかに記載の苗の育成方法。
【請求項３９】
請求項３８に記載の苗の育成方法に用いられる前記根鉢と、前記箱容器と、前記水循環手段とを含む栽培装置。
【請求項４０】
加熱により固化する培土が固化された板状の固化培土に苗が植生された根鉢を、被植生面に載置する苗の育成方法。
【請求項４１】
前記板状の固化培土が請求項１５あるいは１６に記載のポットレストレー構造に記載の前記固形培土、又は、請求項２２、２３、２４、２７、２８のいずれかに記載のポットレストレー構造製作方法に記載の前記箱形の育苗用トレーを用いて得られた前記固形培土である請求項４０に記載の苗の育成方法。
【請求項４２】
請求項２９に記載の固化培土の製造方法により得られる前記固化培土、に苗が植生された根鉢を、被植生面に載置する苗の育成方法。
【請求項４３】
前記固化培土の上面に凹陥部が形成された請求項４０乃至４２のいずれかに記載の苗の育成方法。
【請求項４４】
前記固化培土の上面に細長凹陥部が形成された請求項４０乃至４３のいずれかに記載の苗の育成方法。
【請求項４５】
複数の前記根鉢を前記被植生面に敷詰める請求項４０乃至４４のいずれかに記載の苗の育成方法。
【請求項４６】
前記苗がコケ又は芝生から成る請求項４５に記載の苗の育成方法。
【請求項４７】
請求項４６に記載の苗の育成方法に用いられる前記根鉢から成る板状根鉢。
【請求項４８】
請求項４０乃至４３のいずれかに記載の苗の育成方法に記載の前記固化培土に突き刺して、又は、請求項４４に記載の前記細長凹陥部に挿入して用いる表示札であり、表示部と、該表示部から延出される脚部と、該脚部の先端部に設けられる抜け止めアンカーとを備える表示札。
【請求項４９】
請求項１４、１６〜１９のいずれかに記載のポットレストレー構造に用いられる前記ポット状容器が連設されてなる育苗用トレーを準備する工程と、
前記ポット状容器育苗用トレーに前記培土を充填する工程と、
前記培土を加熱し前記固化培土を得る工程と、
該固化培土を籠状のポット状容器が連設されてなる育苗用トレーの該ポット状容器に移設する工程と
を含むポットレストレー構造の作製方法。
【請求項５０】
更に、
前記固化培土を一時的に、保持するピックアップ手段と、
該ピックアップ手段を空間内で移動させる移動手段と、
該ピックアップ手段及び該移動手段の作動を制御する制御手段とを準備する工程を含み、
前記移設する工程が前記ピックアップ手段、移動手段及び制御手段を用いて行なわれる請求項４９に記載のポットレストレー構造の作製方法。
【請求項５１】
前記培土を加熱する工程がスチームを用いて行なわれ、
更に、前記ポット状容器に移設された状態の前記固化培土を乾燥する工程を含む請求項４９又は５０に記載のポットレストレー構造の作製方法。
【請求項５２】
前記凹陥部が、すり鉢状である請求項４３に記載の苗の育成方法。
【請求項５３】
前記凹陥部が、すり鉢状凹陥部の中央部が更に陥没した形状である請求項４３に記載の苗の育成方法。
【請求項５４】
上面にすり鉢状凹陥部が形成された固化培土。
【請求項５５】
上面に、すり鉢状凹陥部の中央部が更に陥没した形状の凹陥部が形成された固化培土。
【請求項５６】
請求項５４又は５５に記載の固化培土を準備する工程と、前記すり鉢状凹陥部又は前記凹陥部の中に種を蒔く工程と、前記種を土で覆う工程と
を含む種蒔き方法。
【請求項５７】
ポット状容器に収納された状態の固化培土の上面に、一端に他端に向けて斜め方向に突出する逆止爪を備えた鉤付き棒の前記一端を突き刺して、前記固化培土を引き上げることを特徴とする、ポット状容器から固化培土の取り出し方法。
【請求項５８】
前記固化培土が根鉢の培土部である請求項５７に記載のポット状容器から固化培土の取り出し方法。
【請求項５９】
請求項５７又は５８に記載の前記固化培土の取り出し方法に用いられる前記鉤付き棒。
【発明の詳細な説明】
【技術分野】
【０００１】
本発明は根鉢を収納し運搬するためのポットレストレー構造、このポットレストレー構造を作製する方法及びこの方法に用いられる複合トレーに関する。又、この根鉢に用いられる固化培土に関する。又このポットレストレー構造や固化培土を用いた苗の育成方法に関する。
【背景技術】
【０００２】
苗は通常、ポットと称する小容器に培土とともに入れられて、育苗ポットとして、育苗ポットの収納部が連設されてなる育苗用トレーに収納されて運搬や場合により展示がされる（例えば、特許文献１参照。）。
【０００３】
育苗ポットは、購入された後、ポットを外して根鉢の状態で鉢植えもしくは地植えされる。外されたポットは廃棄物として廃棄される。従って、このポットを使用せずに苗を運搬、展示できれば、資源の浪費や廃棄物そのものあるいはその焼却等の処理による環境汚染を低減することができる。しかし、一旦ポットあるいはポット状容器に入れて育成された苗を、根鉢として運搬、展示用の容器に移し替えることは手間がかかり、これを企業的に実施することは難しい。又、移し替える操作中に根鉢の鉢の部分が崩れやすい。
【０００４】
根鉢を固化する方法も開示されている（例えば、特許文献２参照。）。しかし、運搬、展示に適した態様で根鉢を能率的に製造する手段については知られていない。
【０００５】
【特許文献１】特開２００１−１３６８３５号公報（第１図）
【特許文献２】特開２００１−３４６４３７号公報（特許請求の範囲）
【発明の開示】
【発明が解決しようとする課題】
【０００６】
本発明は、これら問題点に鑑み、ポットを必要とせずに育苗用の根鉢を収納し運搬するためのポットレストレー構造、このポットレストレー構造を作製する方法及びこの方法に用いられる複合トレーを提供しようとする。
【課題を解決するための手段】
【０００７】
本発明の要旨とするところは、上方に開口したポット状容器が連設されてなる育苗用トレーと、該ポット状容器の外側に該ポット状容器の側部及び底部を囲んで着脱自在に装着される、上方に開口した囲み容器とを備える複合トレーであることにある。
【０００８】
前記ポット状容器は籠状であり得る。
【０００９】
前記複合トレーにおいては、前記囲み容器が連設され得る。
【００１０】
前記囲み容器は金属製であり得る。
【００１１】
前記複合トレーにおいては、前記囲み容器の壁に短径が０．１〜６ｍｍの複数の孔が形成され得る。
【００１２】
前記複合トレーにおいては、前記育苗用トレーが複数の格子ユニットから成る格子状の上部枠を備え得、隣接の前記ポット状容器が該格子ユニットの辺部を介して該ポット状容器の上縁部で連接され得、前記辺部に前記格子ユニットを一巡する方向に沿って延びる複数のスリットが形成され得、
前記囲み容器の上縁部に複数の切り込みが形成され得、
隣接の該切り込みの間に形成された囲い片部のそれぞれが対応の前記スリットに挿通されて前記辺部から上方に突出し得る。
【００１３】
前記ポット状容器の上縁部分には切り欠きが形成され得る。
【００１４】
前記複合トレーにおいては、前記ポット状容器が、前記ポット状容器の上縁部の前記切り欠きが形成された部分の外側に、指先挿入室を備え得、
前記指先挿入室は、指先を挿入できる上部開口部と側部開口部とを有し得、
前記上部開口部と前記側部開口部とが前記側部開口部の上部で導通し得、
前記ポット状容器の内部空間と前記指先挿入室の内部空間とが前記切り欠き及び前記側部開口部を介して導通し得、
前記指先挿入室と前記ポット状容器との間に前記囲み容器の上縁周部が挿入される隙間が設けられ得る。
【００１５】
前記複合トレーにおいては、前記囲み容器が、前記ポット状容器に装着されたときに、前記囲み容器の上縁部が、前記ポット状容器の上縁部より上方に位置し得る。
【００１６】
又、本発明の要旨とするところは、上方に開口したポット状容器が連設されてなる育苗用トレーと、該ポット状容器にポットを介さずに収まっている根鉢とを含み、該根鉢の培土部分の上部が該容器の上縁より上方に突出た、ポットレストレー構造であることにある。
【００１７】
更に、本発明の要旨とするところは、上方に開口したポット状容器が連設されてなる育苗用トレーと、該ポット状容器にポットを介さずに収まっている根鉢とを含み、前記容器の上縁部分に切り欠きが形成されたポットレストレー構造であることにある。
【００１８】
前記ポットレストレー構造においては、前記ポット状容器が籠状であり得る。
【００１９】
前記ポットレストレー構造においては、前記根鉢を構成する培土が、加熱により固化する培土が固化して成る固化培土を含んで成り得る。
【００２０】
又更に、本発明の要旨とするところは、上方に開口したポット状容器が連設されてなる育苗用トレーと、該ポット状容器に収まっている、加熱により固化する培土が固化して成る固化培土とを含むポットレストレー構造であることにある。
【００２１】
更に又、本発明の要旨とするところは、上方に開口した箱形の育苗用トレーと、該箱形の育苗用トレーに収まっている、加熱により固化する培土が固化して成る固化培土とを含むポットレストレー構造であることにある。
【００２２】
前記ポットレストレー構造においては、前記箱形の育苗用トレーの壁又は前記ポット状容器の壁に短径が０．１〜６ｍｍの複数の孔が形成され得る。
【００２３】
前記ポットレストレー構造においては、前記固化培土の上面に凹陥部が形成され得る。
【００２４】
前記ポットレストレー構造においては、前記箱形の育苗用トレー又は前記ポット状容器が籠状であり得る。
【００２５】
前記ポットレストレー構造においては、前記箱形の育苗用トレー又は前記ポット状容器が金属製であり得る。
【００２６】
前記ポットレストレー構造においては、前記固化培土に苗が植生され得る。
【００２７】
前記ポットレストレー構造においては、前記固化培土に複数の苗が植生され得る。
【００２８】
又、本発明の要旨とするところは、前記ポットレストレー構造に用いられる前記箱形の育苗用トレー、又は前記ポット状容器が連設されてなる育苗用トレー、から成る育苗用トレーであることにある。
【００２９】
又更に、本発明の要旨とするところは、前記育苗用トレーを準備する工程と、
前記ポット状容器又は前記箱形の育苗用トレーに前記培土を充填する工程と、
前記培土を加熱し前記固化培土を得る工程と、
を含むポットレストレー構造作製方法であることにある。
【００３０】
前記ポットレストレー構造作製方法は、前記固化培土に苗を植生する工程を含み得る。
【００３１】
更に又、本発明の要旨とするところは、前記複合トレーを準備する工程と、
前記育苗用トレーに前記囲み容器を装着する工程と、
前記囲み容器に培土を充填する工程と、
充填された該培土に苗を根付かせる工程と、
前記囲み容器を前記トレーから外す工程と
を含むポットレストレー構造製作方法であることにある。
【００３２】
前記ポットレストレー構造製作方法においては、前記培土が加熱により固化する培土であり、前記ポットレストレー構造製作方法は、充填された前記培土を加熱して固化する工程を含み得る。
【００３３】
又、本発明の要旨とするところは、
型片を準備する工程と、
該型片を前記囲み容器内上部又は前記ポット状容器内上部又は前記箱形の育苗用トレー内上部に一時固定する工程と、
充填された前記培土を加熱する工程の後に、前記型片を撤去する工程とを含む、前記ポットレストレー構造製作方法であることにある。
【００３４】
前記ポットレストレー構造製作方法は、前記型片を裏面に備える蓋を準備する工程を含み得、前記ポットレストレー構造製作方法においては、該型片を一時固定する工程が、前記培土を充填した後、前記囲み容器又は前記ポット状容器又は前記箱形の育苗用トレーに該蓋をして、前記型片を前記培土にくいこませて、充填された前記培土の上面に凹陥部を形成する工程であり得る。
【００３５】
更に、本発明の要旨とするところは、型容器を準備する工程と、
型片を準備する工程と、
該型片を前記型容器内上部に一時固定する工程と、
前記型容器に加熱により固化する培土を充填する工程と、
充填された前記培土を加熱する工程とを含む固化培土の製造方法。
【００３６】
又更に、本発明の要旨とするところは、前記ポットレストレー構造製作方法、又は前記固化培土の製造方法に用いるものであり、複数の前記型片が格子状に配置され各該型片の上面と接合された連結棒を介して互いに連結された連結型片であることにある。
【００３７】
更に又、本発明の要旨とするところは、前記ポットレストレー構造製作方法、又は前記固化培土の製造方法に用いるものであり、前記型片の下面から棒部材が垂下して成り、該棒部材の下端が、前記型容器又は前記ポット状容器又は前記囲み容器又は前記箱形の育苗用トレーの内底に設けられた係合子に係合して前記型片が一時固定されることを特徴とする型片治具であることにある。
【００３８】
又、本発明の要旨とするところは、上方に開口した箱形の育苗用トレーと、該育苗用トレーの外側に該育苗用トレーの側部及び底部を囲んで着脱自在に装着される、上方に開口した囲み容器とを備える複合トレーであることにある。
【００３９】
更に、本発明の要旨とするところは、前記の複合トレーに用いられる前記囲み容器であって、該囲み容器の外側面又は外底面から垂下する脚を備える囲み容器であることにある。
【００４０】
又更に、本発明の要旨とするところは、基板と、該基板から該基板の面方向と直交して垂下する脚部を備え、培土が収まった状態で重畳された、上方に開口したポット状容器が連設されてなる育苗用トレー、の間に介在することとなるスペーサであることにある。
【００４１】
更に又、本発明の要旨とするところは、加熱により固化する培土が固化された固化培土に苗が植生された固形培土付き根鉢を箱容器内に載置し、該箱容器内に水を貯留させて該固形培土の少なくとも一部が該水の水面下に没した状態とすることを特徴とする苗の育成方法であることにある。
【００４２】
前記苗の育成方法においては、前記固形培土付き根鉢が前記ポットレストレー構造に用いられる前記根鉢であり得る。
【００４３】
前記苗の育成方法においては、前記根鉢に水性植物が植生され得る。
【００４４】
前記苗の育成方法においては、前記水を水循環手段を経由して循環させ得る。
【００４５】
又更に、本発明の要旨とするところは、前記苗の育成方法に用いられる前記根鉢と、前記箱容器と、前記水循環手段とを含む栽培装置であることにある。
【００４６】
又、本発明の要旨とするところは、加熱により固化する培土が固化された板状の固化培土に苗が植生された根鉢を、被植生面に載置する、苗の育成方法であることにある。
【００４７】
更に、本発明の要旨とするところは、前記板状の固化培土が前記ポットレストレー構造に用いられる前記固形培土、又は、前記ポットレストレー構造製作方法に用いられる前記箱形の育苗用トレーを用いて得られた前記固形培土であることを特徴とする前記苗の育成方法であることにある。
【００４８】
又更に、本発明の要旨とするところは、前記固化培土の製造方法により得られる前記固化培土、に苗が植生された根鉢を、被植生面に載置する苗の育成方法であることにある。
【００４９】
前記苗の育成方法においては、前記固化培土の上面に凹陥部が形成され得る。又前記固化培土の上面に細長凹陥部が形成され得る。
【００５０】
前記苗の育成方法においては、複数の前記根鉢が前記被植生面に敷詰められ得る。又、前記苗は、コケ又は芝生、の苗であり得る。
【００５１】
更に又、本発明の要旨とするところは、前記根鉢から成る板状根鉢であることにある。
【００５２】
又、本発明の要旨とするところは、前記苗の育成方法における前記固化培土に突き刺して、又は、前記細長凹陥部に挿入して用いる表示札であり、表示部と、該表示部から延出される脚部と、該脚部の先端部に設けられる抜け止めアンカーとを備える表示札であることにある。
【００５３】
又、本発明の要旨とするところは、前記ポットレストレー構造に用いられる前記ポット状容器が連設されてなる育苗用トレーを準備する工程と、
前記ポット状容器育苗用トレーに前記培土を充填する工程と、
前記培土を加熱し前記固化培土を得る工程と、
該固化培土を籠状のポット状容器が連設されてなる育苗用トレーの該ポット状容器に移設する工程と
を含むポットレストレー構造の作製方法であることにある。
【００５４】
前記ポットレストレー構造の作製方法は、更に、
前記固化培土を一時的に、保持するピックアップ手段と、
該ピックアップ手段を空間内で移動させる移動手段と、
該ピックアップ手段及び該移動手段の作動を制御する制御手段とを準備する工程を含み、
前記移設する工程が前記ピックアップ手段、移動手段及び制御手段を用いて行なわれ得る。
【００５５】
前記ポットレストレー構造の作製方法においては、前記培土を加熱する工程がスチームを用いて行なわれ得、
前記ポットレストレー構造の作製方法は、更に、前記ポット状容器に移設された状態の前記固化培土を乾燥する工程を含み得る。
【００５６】
前記凹陥部は、すり鉢状であり得る。
【００５７】
前記凹陥部は、すり鉢状凹陥部の中央部が更に陥没した形状であり得る。
【００５８】
更に又、本発明の要旨とするところは、上面にすり鉢状凹陥部が形成された固化培土であることにある。
【００５９】
又更に、本発明の要旨とするところは、上面に、すり鉢状凹陥部の中央部が更に陥没した形状の凹陥部が形成された固化培土であることにある。
【００６０】
又、本発明の要旨とするところは、前記固化培土を準備する工程と、前記すり鉢状凹陥部又は前記凹陥部の中に種を蒔く工程と、前記種を土で覆う工程とを含む種蒔き方法であることにある。
【００６１】
更に、本発明の要旨とするところは、ポット状容器に収納された状態の固化培土の上面に、一端に他端に向けて斜め方向に突出する逆止爪を備えた鉤付き棒の前記一端を突き刺して、前記固化培土を引き上げることを特徴とする、ポット状容器から固化培土の取り出し方法であることにある。
【００６２】
前記ポット状容器から固化培土の取り出し方法においては、前記固化培土が根鉢の培土部であり得る。
【００６３】
更に又、本発明の要旨とするところは、前記固化培土の取り出し方法に用いられる前記鉤付き棒であることにある。
【発明の効果】
【００６４】
本発明により、ポットを必要とせずに容易に育苗用の根鉢をトレーに収納し運搬し流通させることが出来る。
【００６５】
本発明により、ポットを必要とせずに運搬、流通可能な育苗用の根鉢を備えるポットレストレー構造を能率よく製造出来る。
【００６６】
本発明により、水耕栽培の床として好適に使用可能な固化培土が能率よく提供される。
【発明を実施するための最良の形態】
【００６７】
本発明に係る態様を図面に基づいて詳しく説明する。なお、本明細書においては、各図にわたって記される同じ符号は同一又は同様の部材やものを示す。図１は本発明のポットレストレー構造及び複合トレーに用いる育苗用トレー２の構成を示す。育苗用トレー２は、上方に開口した複数の籠容器（ポット状容器）４が連設されてなる。籠容器４には根鉢が収納されることとなる。なお、本明細書においては、用語「根鉢」は、「培土とその培土に植生された苗の根とが混在して成る塊が、その苗を備えたもの」を意味するものとする。又、その塊を「培土部分」と称する。「培土とその培土に植生された苗の根とが混在して成る塊」の形状は通常は略逆円錐台形である。
【００６８】
図１において、籠容器４は、底部の骨格を構成する目皿８と、側部の骨格を構成し、目皿８の縁部から立設された板状の縦桟６とを備える。各縦桟６の上端部は、育苗用トレー２の格子状の上部枠１０にそれぞれ連接して固定されている。このように、籠容器４は、上部枠１０の構成要素である四角枠状の格子ユニット１２と、格子ユニット１２の各辺中央部から下方に延びる縦桟６と、目皿８とから構成される。各縦桟６は、板面の方向を籠容器４の中央に向けて配置している。育苗用トレー２は樹脂の射出成型で得ることができるが、製法や材料が限定されるものではない。
【００６９】
一方、本発明の複合トレーは、籠容器４の外側に籠容器４の側部及び底部を囲んで着脱自在に装着される上方に開口した図２に示す囲み容器１６を備える。囲み容器１６は、有底の筒体から成り、周壁に、上縁から底部にかけてたて方向に切込み１８が形成されている。切込み１８の位置は、切込み１８に嵌合することとなる縦桟６の位置に対応している。囲み容器１６は、籠容器４の下方から上昇させて籠容器４に外挿される。図３に囲み容器１６が籠容器４の外側に嵌められた状態の複合トレー３１、及びこの状態の囲み容器１６と籠容器４との位置関係を示す。嵌められた状態で、縦桟６の籠容器４の中央軸に近い部分の縦方向の縁２２は、囲み容器１６の内壁面と略面一になっている。囲み容器１６は樹脂の射出成型で得ることができるが、製法や材料が限定されるものではない。
【００７０】
図３の、囲み容器１６が籠容器４の外側に嵌められた状態で、囲み容器１６に培土が投入され、囲み容器１６は投入された培土で満たされる。次いで投入された培土に苗が植生され根付かされる。
【００７１】
次いで、図４に示すように、苗の根が発達した時点で囲み容器１６が下方に引き抜かれ、籠容器４の中には苗２６を備える根鉢２４が残留する。即ち、籠容器４が根鉢２４を収納状態に保持する状態となる。
【００７２】
籠容器４の中にポットを介さずに苗２６を備える根鉢２４が収められた図４に示す状態で、育苗用トレー２が流通過程に投入される。更に、この育苗用トレー２と、籠容器４にポットを介さずに収納された状態に収まっている苗２６を備える根鉢２４とから成るポットレストレー構造３０は、販売の店頭にも置かれ、籠容器４から苗２６とともに根鉢２４を取り出してポットを用いずに販売することが出来る。ポットレストレー構造３０は流通過程に投入され、流通過程において、苗２６ごと根鉢２４を籠容器４から取り出す。籠容器４から取り外された囲み容器１６はあらたな籠容器４に装着されてあらたに上述の培土を投入する操作が開始される。このように囲み容器１６は循環再使用される。根鉢２４が直接籠容器４に収納されているので、根鉢２４の培土の部分の外面は直接外気に触れることとなり、培土中の根の成長がその外面で止まる。これにより、通常の樹脂製ポットにみられるような根巻きの発生が防止される。根巻きとは、根が培土中のポットの内壁面に沿って成長し、培土の部分の外側に巻き付くように根の房が形成されることである。
【００７３】
ポットレストレー構造３０においては、根鉢２４が籠容器４に収納された状態に収まって、その収まった状態で根鉢２４の培土部分の上部と格子ユニット１２との間に間隙３８が生ずるので、根鉢２４を籠容器４から取り出しやすい。
【００７４】
なお、ポットレストレー構造３０においては、流通過程中に根鉢２４の籠容器４からの飛び出しを防止するため、根鉢２４が飛び出そうとするとき根鉢２４の培土部分の上面を当止する当止具３２（図１）が、上部枠１０に取り付けられていることが好ましい。当止具３２は、上部枠１０の上面に水平方向に回動可能に取り付けられており、根鉢２４が収納されているときに、当止具３２の先端部の当止子３４が根鉢２４の培土部分の上方に張り出し、根鉢２４が収納されていない時などの必要に応じて上部枠１０の上部に当止子３４が位置するように、当止具３２を取り付け軸３３を中心として回動する。
【００７５】
図５（ａ）の平面図、図５（ｂ）の正面図に示すように、囲み容器１６は、複数個が連設されて連設囲み容器１７となっていることが好ましい。囲み容器１６は外底部で連設子３６を介して籠容器４の位置に対応して連設されている。囲み容器１６は樹脂や金属を素材とすることが出来る。
【００７６】
本発明で用いられる培土に用いる培土基材の種類は特に制限されず、育成する植物などの種類に応じて、たとえば従来と同様のものを使用する事ができる。そのうちでも、本発明では、培土基材として、重粘土、植土、植壌土、壌土などの天然土や、ピートモス、パーク堆肥、亜炭、モミガラ、薫炭、炭粉などの有機質資材を選択して配合するのが好ましい。パーライト、バーミキュライト、ロックウール、ゼオライトなどの無機質資材、ポリエチレングリコール系湿潤剤などの湿潤剤、無機質肥料、有機質肥料、化学堆肥などの肥料などをさらに配合してもよい。
【００７７】
本発明において適用される苗としては、切花用植物の苗、花壇用植物の苗、野菜用の苗、果菜用の苗などが挙げられる。
【００７８】
本発明の他の態様の一例においては、図６に示す育苗用トレー２ａが用いられる。育苗用トレー２ａは、上方に開口した複数の籠容器（ポット状容器）４ａが連設されてなる。籠容器４ａには根鉢が収納されることとなる。籠容器４ａは、底部の骨格を構成する目皿８と、側部の骨格を構成し、目皿８の縁部から立設された縦桟６ａとを備える。各縦桟６ａの上端部は、育苗用トレー２ａの格子状の上部枠１０にそれぞれ連接して固定されている。このように、籠容器４ａは、上部枠１０の構成要素である四角枠状の格子ユニット１２と、格子ユニット１２の各辺中央部から下方に延びる縦桟６ａと、目皿８とから構成される。
【００７９】
一方、この育苗用トレー２ａを用いた本発明の複合トレー３１ａは、籠容器４ａの外側に籠容器４ａの側部及び底部を囲んで着脱自在に装着される上方に開口した図７に示す囲み容器１６ａを備える。囲み容器１６ａは、有底の筒体から成る。
【００８０】
囲み容器１６ａは、籠容器４ａの下方から上昇させて籠容器４ａに外挿される。図８に囲み容器１６ａが籠容器４ａの外側に嵌められた状態の複合トレー３１ａ、及びこの状態の囲み容器１６ａと籠容器４ａとの位置関係を示す。
【００８１】
図８の、囲み容器１６ａが籠容器４ａの外側に嵌められた状態で、囲み容器１６ａに培土が投入され、囲み容器１６ａは投入された培土で満たされる。次いで投入された培土に苗が植生され根付かされる。
【００８２】
次いで、図４に示すと同様に苗の根が発達した時点で囲み容器１６ａが下方に引き抜かれ、籠容器４ａの中には根鉢の培土部分が残留する。即ち、籠容器４ａが根鉢を収納状態に保持する状態となる。
【００８３】
本発明の更に他の態様の一例においては、図９に示す育苗用トレー２ｂが用いられる。図９（ａ）に複合トレー３１ｂを構成する籠容器（ポット状容器）４ｂと籠容器４ｂの外側に嵌められる囲み容器１６ｂを示す。育苗用トレー２ｂは、上方に開口した籠容器４ｂが連設されてなる。籠容器４ｂには根鉢が収納されることとなる。籠容器４ｂは、底部の骨格を構成する目皿８と、側部の骨格を構成し、目皿８の縁部から立設された板状の縦桟６ａとを備える。各縦桟６ａの上端部は、筒環状の一巡枠４０にそれぞれ連接して固定されている。又、筒環状の一巡枠４０は育苗用トレー２ｂの格子状の上部枠１０の格子ユニット１２に内接して設けられる。一巡枠４０には、上縁部分をＵ字形状もしくは凵字形状に切欠いた切欠き４２が形成されている。
【００８４】
一方、この育苗用トレー２ｂを用いた本発明の複合トレー３１ｂは、籠容器４ｂの外側に籠容器４ｂの側部及び底部を囲んで着脱自在に装着される上方に開口した囲み容器１６ｂを備える。囲み容器１６ｂは、有底の筒体から成る。囲み容器１６ｂには、籠容器４ｂの外側に嵌められた状態で各縦桟６ａとの干渉を回避するため、上縁部をＵ字形状もしくは凵字形状に切欠いた切欠き部４４が形成されている。又、底部には小孔４７が形成されている。
【００８５】
囲み容器１６ｂは、籠容器４ｂの下方から上昇させて籠容器４ｂに外挿される。図９（ｂ）に囲み容器１６ｂが籠容器４ｂの外側に嵌められた状態の両者の位置関係を示す。
【００８６】
図９（ｂ）の、囲み容器１６ｂが籠容器４ｂの外側に嵌められた状態で、囲み容器１６ｂに培土が投入され、囲み容器１６ｂは投入された培土で満たされる。次いで投入された培土に苗が植生され根付かされる。
【００８７】
次いで、図４に示すと同様に苗の根が発達した時点で囲み容器１６ｂが下方に引き抜かれ、籠容器４ｂの中には根鉢の培土部分が残留する。
【００８８】
根鉢を籠容器４ｂから取り出すときには、切欠き４２の部分に指を入れることにより一巡枠４０に邪魔されずに容易に根鉢を籠容器４ｂから取り出すことが出来る。
【００８９】
囲み容器１６ａ、１６ｂも、複数個が連設されていることが好ましい。この態様を囲み容器１６ｂを例として図１０（ａ）の平面図、図１０（ｂ）の正面図に示す。囲み容器１６ｂは外底部で連設子３６ｂ介して籠容器４ｂ位置に対応して連設されて連接囲み容器１７ｂとなっている。
【００９０】
本発明においては、培土として、加熱により固化する性質のものを用いることが出来る。この態様の工程を説明する。図１１において、符号５９は囲み容器１６ａ又は囲み容器１６ｂを模式化した囲み容器５０から成る連接囲み容器であり、符号５８は籠容器４ａ又は籠容器４ｂを模式化した籠容器５２から成る育苗用トレーである。
【００９１】
工程１：囲み容器５０を籠容器５２に下方から外挿する（図１１（ａ））。
工程２：囲み容器５０に加熱により固化する性質の培土５４を充填する（図１１（ｂ））。
工程３：培土５４を加熱して培土５４を固化する。好ましくは囲み容器５０を加熱することにより培土５４を加熱する（図１１（ｂ））。
工程４：囲み容器５０を籠容器５２から取り外す（図１１（ｃ））。
工程５：培土５４に苗５６を植生して根付かせる（図１１（ｄ））。
工程４と工程５は順番が逆でもよい。
【００９２】
これにより、苗５６を植生した培土５４が籠容器５２にポットを介さずに収納された状態に収まっている本発明のポットレストレー構造６０が得られる。ポットレストレー構造６０は流通過程に投入され、前述のように、流通過程において、苗５６ごと培土５４を籠容器５２から取り出す。籠容器５２から取り外された囲み容器５０はあらたな籠容器に装着されてあらたに工程１が開始される。このように囲み容器５０は循環再使用される。
【００９３】
又、工程４で囲み容器５０を籠容器５２から取り外して次いで工程５で培土５４に苗５６を植生して根付かせると、培土５４中で成長した根が培土５４の表側面に達しても、表側面が外気に露出しているのでその後培土５４の表側面に沿って根が成長する根巻きが発生しにくい。このようにして得られた根巻きの少ない根鉢はそのまま植付けすべき土に埋めて植え付けて苗の良好な育成がなされるので、工程４に次いで工程５が行なわれることが好ましい。
【００９４】
本発明における、培土として、加熱により固化する性質のものを用いた操作の他の態様の一例を図１２により説明する。
【００９５】
工程１：囲み容器５０を籠容器５２に下方から外挿し、囲み容器５０に加熱により固化する性質の培土５４を充填する。更に、型蓋６４により籠容器５２に蓋をする。このとき、好ましくは型蓋６４の下面を充填された培土５４の上面に密着させる。又、型蓋６４の裏面の、籠容器５２の中央部に対応する部分に、下方に突出する円筒状又は円錐台状の外形を有する突起部６８が設けられている。突起部６８が培土５４の上面にくいこんで、培土５４の上面に凹陥部７０が形成される（図１２（ａ））。
工程２：培土５４を加熱して培土５４を固化する。好ましくは囲み容器５０及び型蓋６４を加熱することにより培土５４を加熱して固化する（図１２（ａ））。
工程３：囲み容器５０及び型蓋６４を籠容器５２から取り外す（図１２（ｂ））。
工程４：培土５４の凹陥部７０に、別途用意された、苗５６を備える小型根鉢７２を挿入する（図１２（ｃ））。
工程５：この状態で培土５４に苗５６を根付かせる。
工程３は、工程４又は工程５の後になるよう順番が変更されてもよい。
【００９６】
この態様により、固化された培土５４に苗５６が根付いた根鉢６１が得られ、この根鉢６１は籠容器５２に収納の状態で流通過程に供することができ、運搬等の流通の過程で崩れにくく、籠容器５２からの取り出しも容易である。又、小型根鉢は、培土５４の凹陥部７０に挿入されるだけで苗の培土５４への植付けがなされるので、培土５４の表面にいちいち植付け用の穴を形成する必要がなく、植付け操作が簡略化される。又、この培土５４の表面に突起部６８により凹陥部７０を形成する態様は、加熱により固化しない培土を用いる態様にも適用でき、植付け操作が簡略化される。なお、小型根鉢は、小径（３〜４ｃｍ程度）の連接された育苗用ポットに培土を充填し、それぞれ種を植え付けて小さな苗状態まで育成したものである。凹陥部７０に土を入れ、その土に種を植え付けることも出来る。
【００９７】
更に、根鉢６１が直接籠容器５２に収納されているので、根鉢６１の培土の部分の外面は直接外気に触れることとなり、培土中の根の成長がその外面で止まる。これにより、通常の樹脂製ポットにみられるような根巻きの発生が防止される。
【００９８】
培土５４の加熱は、型蓋６４及び囲み容器５０を加熱することによりなされることが好ましい。この場合、型蓋６４及び／又は囲み容器５０は金属等の熱伝導性の良好な材料から成ることが培土５４の加熱による固化が短時間でなされて好ましい。培土５４の加熱は、スチームを用いて行われてもよい。あるいは、誘導加熱により行われてもよい。
【００９９】
又、加熱により固化する性質の培土は、培土に熱融着性の樹脂粒を混合して得ることが出来る。熱融着性の樹脂粒としては、酢酸ビニル−アクリル酸メチル共重合体ケン化物、ポリアクリル酸ナトリウム架橋物、ビニルアルコール−アクリル酸共重合体等の樹脂から成る樹脂粒が挙げられる。
【０１００】
加熱により固化する性質の培土は、培土に熱融着性の繊維を混合しても得ることが出来る。培土に混合された熱融着性の繊維が加熱によりその接触交点同士で融着されてネットワーク構造を形成し、培土が固化する。
【０１０１】
熱融着性の繊維としては、ポリエチレン繊維や、共重合ポリアミド繊維、共重合ポリエステル繊維等の共重合樹脂から成る繊維又はこれらの樹脂を含む複合繊維等が挙げられる。共重合樹脂の融点を周知の共重合組成の組み合わせにより調整して熱融着性の繊維用の樹脂を得ることが出来る。熱融着性の繊維は繊維長が５〜３０ｍｍであることが好ましい。本発明においては、培土と熱融着性繊維の配合割合が、重量比で９９：１〜８０：２０であることが好ましい。
【０１０２】
熱融着性の繊維は、生分解性を有することが好ましい。この繊維を構成する樹脂としては、ポリ乳酸を主成分とする重合体、脂肪族ポリエステル（ポリブチレンサクシネート、ポリエチレンサクシネート等）、脂肪族ポリエステルアミド等が好適に使用できる。また、ポリ乳酸系共重合体（乳酸のＬ体とＤ体の共重合体、乳酸とヒドロキシカルボン酸との共重合体等）、脂肪族ポリエステル系共重合体（ポリブチレンサクシネート、ポリエチレンサクシネート等）、ポリエステルアミド系共重合体等が好適に挙げられる。
【０１０３】
本発明で用いる熱融着性生分解性繊維は、その繊維長が０．５ｍｍ以上、特に１ｍｍ以上であるのが好ましい。熱融着性生分解性繊維の繊維長が短すぎると繊維同志又は繊維と培土基材間で十分な絡み合いが生じないために根鉢強力（根鉢の培土部分の強力）が不十分となる。しかしながら、繊維の繊維長が長すぎると繊維を培土中に均一分散させるのが困難になり、またセル等に培土を充填する作業を行いにくくなることから、繊維長を１５ｍｍ以下、特に１０ｍｍ以下とするのが好ましい。該繊維の繊度は特に限定されないが、十分な接着能力を発現させる点及び生分解性の点からは繊維径を小さくするのが好ましく、具体的には１０ｄｔｅｘ以下、特に５ｄｔｅｘ以下とするのが好ましい。しかしながら均一分散性の点からは１ｄｔｅｘ以上とするのが好ましい。
【０１０４】
また本発明で用いられる熱融着性生分解性繊維のアスペクト比は、根鉢強力の点からは大きいものが好ましく、具体的には２０以上、さらに５０以上であるのが好ましく、逆に均一分散性の点、さらにセル等の容器に培土を充填する際の作業効率の点からは１０００以下、さらに５００以下であることが好ましい。なお、本発明にいう繊維のアスペクト比とは、繊維長を繊維径（繊維の横断面と同一の面積を有する円の直径）で除した値をいう。熱融着性繊維の断面形状は特に限定されず、例えば丸型、三角形型、Ｔ型、偏平型、多葉型、Ｖ字型、中空型などのいずれの断面形状であってもよい。又、本発明においては、本発明の効果を行わない範囲であれば上記熱融着性生分解性繊維以外の繊維が併用されていてもかまわない。
【０１０５】
本発明の複合トレー及びその複合トレーを構成する籠容器、囲み容器の態様は、前述のものに限らず他の態様をとることが出来る。その一例としては図１３に示す籠容器（ポット状容器）４ｃと囲み容器１６ｃとが組み合わされる複合トレー３１ｃが挙げられる。籠容器４ｃは、格子状の上部枠１０の構成要素である四角枠状の格子ユニット１２に連結されている。籠容器４ｃは、底部の骨格を構成する目皿８と、側部の骨格を構成し、目皿８の縁部から立設された縦桟６ｃと、格子ユニット１２に内接して設けられる筒環状の一巡枠４０ｃとを備える。各縦桟６ｃの上端部は、一巡枠４０ｃに固定されている。
【０１０６】
囲み容器１６ｃは、有底の筒体から成り、周壁に、上縁から底部にかけてたて方向に切込み１８が形成されている。切込み１８の位置は、切込み１８に嵌合することとなる縦桟６ｃの位置に対応している。囲み容器１６ｃは、籠容器４ｃの下方から上昇させて籠容器４ｃに嵌挿される。
【０１０７】
図１４に囲み容器１６ｃが籠容器４ｃに嵌められた状態の複合トレー３１ｃ、及びこの状態の囲み容器１６ｃと籠容器４ｃとの位置関係を示す。嵌められた状態で、縦桟６ｃの籠容器４ｃの中央軸に近い部分の縦方向の縁２２ｃは、囲み容器１６ｃの内壁面と略面一になっている。この嵌められた状態で、目皿８は囲み容器１６ｃの内底部に位置し、囲み容器１６ｃの上周縁部は一巡枠４０ｃの内側にはめ込まれ、一巡枠４０ｃの内面に面接し、かつ、囲み容器１６ｃの最上周縁部が、一巡枠４０ｃの上縁より上方に突出して、突出周縁部５５ｃとなっている。なお、囲み容器１６ｃの外周部に、爪状突起８６が設けられ、囲み容器１６ｃが籠容器４ｃに嵌められた状態で、一巡枠４０ｃの上縁と係合し、囲み容器１６ｃが下降しないように保持する。
【０１０８】
図１５（ａ）に示すように、囲み容器１６ｃの内底面に目皿８の骨格８４に対応する溝８２が形成されていてもよい。この態様は、囲み容器１６ｃが籠容器４ｃに嵌められた状態で、溝８２に骨格８４をはめこませて、囲み容器１６ｃの内底面を面一にすることが出来て好ましい。
【０１０９】
更に、籠容器４ｃに嵌挿される囲み容器としては、図１５（ｂ）〜（ｄ）に示すように、側壁９０１が上端部９０３を除いて無孔である囲み容器１６ｘであってもよい。囲み容器１６ｘにおいては、囲み容器１６ｘの内側壁に縦方向に形成された溝９０４に縦桟６ｃ（図１３）が嵌め込まれて、囲み容器１６ｘは籠容器４ｃに嵌挿された状態で内側壁面が凹凸のない平坦な面となる。なお、図１５（ｃ）、図１５（ｄ）は図１５（ｂ）のそれぞれＰ−Ｐ方向、Ｑ−Ｑ方向の断面図である。
【０１１０】
囲み容器１６ｃ、１６ｘは、加熱により固化する培土を用いて固化培土を製造する場合、籠容器４ｃに囲み容器１６ｃあるいは囲み容器１６ｘが嵌挿された状態で内周壁面に隙間ができないので、固化前の培土が装填されたときに培土が隙間から脱落することがなく好ましい。但し、内周壁面に隙間がないと、スチーム加熱により培土を固化させる場合にはスチームが側壁面の隙間から培土に浸透できず、加熱の効率が悪い。従って、このように内周壁面に隙間ができない状態で行なう固化のための加熱は誘導加熱方式によることが好ましい。
【０１１１】
籠容器４ｃに囲み容器１６ｃあるいは囲み容器１６ｘが嵌挿された状態で内周壁面に隙間がない態様で培土が固化されると、固化後の固化培土の周面が平坦になり、固化培土を籠容器から取り出すときに抵抗が少なく、取り出しやすい。
【０１１２】
複合トレー３１ｃを用いた根鉢の製造方法を図１６の模式図に示す。
工程１：囲み容器１６ｃを籠容器４ｃに下方から嵌挿する。なお、図１６においては、囲み容器１６ｃは連接部８８を介して、籠容器４ｃは連接部８９を介してそれぞれ複数個が連接されている（図１６（ａ））。
工程２：囲み容器１６ｃに培土９０を充填する。培土９０は加熱により固化する性質の培土であってもよい。次いで、培土９０に苗５６を植えて植生する。培土９０が加熱により固化する性質の培土である場合は培土９０を加熱により固化させてから苗５６を植えて植生する。（図１６（ｂ））。なお、囲み容器１６ｃの底に通常の育苗ポットと同様に孔が形成されて、苗５６が植えられた培土９０に通常の育苗ポットと同様の水遣りが可能とされてもよい。
工程３：囲み容器１６ｃを籠容器４ｃから取り外す（図１６（ｃ））。
【０１１３】
この一連の工程により、籠容器４ｃに根鉢９２が収納された状態に収まっているポットレストレー構造３０ｃが得られる。ポットレストレー構造３０ｃにおいては、根鉢９２の培土部分の上部が籠容器４ｃの最上部より上方に突出しているので、籠容器４ｃから根鉢９２を取り出すとき、その突出した部分９４を容易に指先でつまむことができ、籠容器４ｃからの根鉢９２の取り出しが容易である。
【０１１４】
ポットレストレー構造３０ｃは、根鉢を他の場所で通常のポット等を用いて作りその根鉢を籠容器４ｃに収納して作ってもよい。この態様によっても、その根鉢の培土部分の上部が籠容器４ｃの最上部より上方に突出しているので、籠容器４ｃからその根鉢を取り出すとき、その突出した部分を容易に指先でつまむことができ、籠容器４ｃからのその根鉢の取り出しが容易である。この場合の籠容器４ｃは、ポット状であり、かつ収納された根鉢の培土部分の上部が籠容器４ｃの最上部より上方に突出しているものであれば形状を問わない。
【０１１５】
本発明の複合トレー及びその複合トレーの態様の他の一例として、図１７に示すポット状容器４ｄと、ポット状容器４ｄと略相似形の囲み容器１６ｄとが組み合わされる複合トレー３１ｄが挙げられる。ポット状容器４ｄは、格子状の上部枠１０ｄの構成要素である四角断続枠状の格子ユニット１２ｄに連結されている。格子ユニット１２ｄは、面をポット状容器４ｄの中心軸方向と直交させた薄板状物から成り、隣接のポット状容器４ｄ同士が格子ユニット１２ｄを介して連接される。ポット状容器４ｄは、コップ状であり、上縁部に一対の切り欠き１００が、ポット状容器４ｄの中心軸を間にして対向して、形成されている。ポット状容器４ｄの底には大孔径の孔１０２が形成されている。
【０１１６】
囲み容器１６ｄは、格子状の枠１１ｄの構成要素である四角枠状の格子ユニット１３ｄに連結されている。格子ユニット１３ｄは、面を、囲み容器１６ｄの中心軸方向と直交させた薄板状物から成り、隣接の囲み容器１６ｄ同士が格子ユニット１３ｄを介して連接される。囲み容器１６ｄの底には小孔径の孔１０４が形成されている。囲み容器１６ｄは、ポット状容器４ｄの下方から上昇させてポット状容器４ｄに外挿される。
【０１１７】
図１８にポット状容器４ｄが連接されて成る育苗用トレー２ｄを示す。図１９に囲み容器１６ｄが連接されて成る連接囲み容器１７ｄを示す。
【０１１８】
複合トレー３１ｄを用いた根鉢の製造方法を図２０の模式図に示す。
工程１：囲み容器１６ｄをポット状容器４ｄに下方から嵌挿する。（図２０（ａ））。
工程２：囲み容器１６ｄに培土９０を充填する。培土９０は加熱により固化する性質の培土であってもよい。次いで、培土９０に苗５６を植えて植生する。培土９０が加熱により固化する性質の培土である場合は培土９０を加熱により固化させてから苗５６を植えて植生する。（図２０（ｂ））。囲み容器１６ｄに小孔径の孔１０４が形成されているので、苗５６が植えられた培土９０には、通常の育苗ポットと同様のやり方で水遣りが出来る。
工程３：囲み容器１６ｄをポット状容器４ｄから取り外す（図２０（ｃ））。
【０１１９】
この一連の工程により、ポット状容器４ｄに根鉢９２が収納された状態に収まっているポットレストレー構造３０ｄが得られる。ポットレストレー構造３０ｄにおいては、根鉢９２の培土部分の上部の、ポット状容器４ｄの切り欠き１００に対応する部分が露出しているので、ポット状容器４ｄから根鉢９２を取り出すとき、その露出した部分９４ｄを容易に指先でつまむことができ、ポット状容器４ｄからの根鉢９２の取り出しが容易である。なお、切り欠き１００はポット状容器４ｄに３個以上形成されていてもよい。
【０１２０】
又、ポット状容器４ｄの底には大孔径の孔１０２が形成されていて根鉢９２の培土部分の底が露出しているので、根鉢９２をポット状容器４ｄから取り出すときに、先ず根鉢９２の培土部分の底の露出している部分を上方に手等で押し上げることにより根鉢９２全体を上方に押し上げ、根鉢９２の培土部分とポット状容器４ｄとの拘束を緩和させてから、露出した部分９４ｄを指先でつまんで根鉢９２をポット状容器４ｄから取り出すことにより、更に容易に根鉢９２をポット状容器４ｄから取り出すことが出来る。
【０１２１】
本発明の複合トレー及びその複合トレーの態様の又更に他の一例として、図２１に示すポット状容器４ｆと、ポット状容器４ｆと略相似形の囲み容器１６ｆとが組み合わされる複合トレー３１ｆが挙げられる。ポット状容器４ｆは、格子状の上部枠１０ｆの構成要素である四角枠状の格子ユニット１２ｆに連結されている。格子ユニット１２ｆは、面をポット状容器４ｆの中心軸方向と直交させた薄板状物から成り、隣接のポット状容器４ｆ同士が格子ユニット１２ｆを介して連接される。
【０１２２】
ポット状容器４ｆは、コップ状であり、上縁部に一対の切り欠き１００が、ポット状容器４ｆの中心軸を間にして対向して、形成されている。ポット状容器４ｆの底には大孔径の孔１０２が形成されている。更に、ポット状容器４ｆは、ポット状容器４ｆの切り欠き１００が形成された上縁部外側に、指先挿入室１０６を備える。指先挿入室１０６は、上部に指先を挿入できる上部開口部１０８と、側部に切り欠き１００に面して側部開口部１１０を有する。上部開口部１０８と側部開口部１１０とは側部開口部１１０の上部で導通している。又、ポット状容器４ｆの内部空間１１２と指先挿入室１０６の内部空間１１４とは切り欠き１００及び側部開口部１１０を介して導通している。即ち、ポット状容器４ｆの上縁周部の形状が、切り欠き１００の位置で外側に凹んだ形状となっている。この外側に凹んだ形状の部分は、指先挿入室１０６の側壁で構成されている。又、指先挿入室１０６とポット状容器４ｆとの間に、囲み容器１６ｆの上縁周部が挿入される隙間１０７が設けられている。
【０１２３】
囲み容器１６ｆは、格子状の枠１１ｆの構成要素である四角枠状の格子ユニット１３ｆに連結されている。格子ユニット１３ｆは、面を囲み容器１６ｆの中心軸方向と直交させた薄板状物から成り、隣接の囲み容器１６ｆ同士が格子ユニット１３ｆを介して連接される。囲み容器１６ｆの底には小孔径の孔１０４が形成されている。囲み容器１６ｆは、ポット状容器４ｆの下方から上昇させてポット状容器４ｆに外挿される。
【０１２４】
囲み容器１６ｆは、籠容器４ｆの下方から上昇させて籠容器４ｆに外挿される。図２２に囲み容器１６ｆが籠容器４ｆの外側に嵌められた状態の両者の位置関係を示す。図２３は、図２２のＤ−Ｄ´方向の断面図であり、指先挿入室１０６と囲み容器１６ｆとの係合関係を示す。
【０１２５】
囲み容器１６ｆが籠容器４ｆの外側に嵌められた状態で、囲み容器１６ｆに培土が投入され、囲み容器１６ｆは投入された培土で満たされる。次いで投入された培土に苗が植生され根付かされる。
【０１２６】
本発明においては、複数のポット状容器４ｆが連接されてもよい。図２４にポット状容器４ｆが連接されて成る育苗用トレー２ｆを示す。又、本発明においては、複数の囲み容器１６ｆが連接されてもよい。図２５に囲み容器１６ｆが連接されて成る連接囲み容器１７ｆを示す。連接囲み容器１７ｆの枠１１ｆを構成する薄板状物には、囲み容器１６ｆが上昇してポット状容器４ｆに外挿されたときに、指先挿入室１０６を挿通させる挿通孔１１４が形成されている。
【０１２７】
複合トレー３１ｆを用いた根鉢の製造方法及び根鉢の取り出しの態様は図２０に示す複合トレー３１ｄを用い態様と同様である。
【０１２８】
本発明の更に他の態様の一例においては、図２６に示す育苗用トレー２ｂｂが用いられる。図２６に複合トレー３１ｂｂを構成する籠容器（ポット状容器）４ｂｂと籠容器４ｂｂの外側に嵌められる囲み容器１６ｂｂを示す。育苗用トレー２ｂｂは、上方に開口した籠容器４ｂｂが連設されてなる。籠容器４ｂｂは、底部の骨格を構成する目皿８ｂと、側部の骨格を構成し、目皿８ｂの縁部から立設された板状の縦桟６ａｂとを備える。一方、育苗用トレー２ｂｂの構成要素である格子状の上部枠１０ｂの格子ユニット１２ｂの各辺部１８ｂｂが長尺平板１３ｂｂから成り、長尺平板１３ｂｂの長手方向に沿った縁からへり板１４ｂｂが垂下し、その縁に沿って一巡している。各縦桟６ａｂの上端部が、へり板１４ｂｂの対応の下縁中央部にそれぞれ連接して固定されている。このように、籠容器４ｂｂは、目皿８ｂと、板状の縦桟６ａｂとへり板１４ｂｂから構成される。
【０１２９】
更に、長尺平板１３ｂｂには複数の両端で閉じたスリット３０ｂｂが形成されている。複数のスリット３０ｂｂが、長手方向を格子ユニット１２ｂの縁に平行にして、格子ユニット１２ｂの縁に沿って格子ユニット１２ｂを一巡して配置されている。隣接のスリット３０ｂｂの間隔は２〜６ｍｍ程度である。
【０１３０】
囲み容器１６ｂｂは、籠容器４ｂｂの外側面に沿って嵌められる上方に開口する囲み部２０ｂｂを有し、囲み部２０ｂｂの上縁から上方に延設されて囲い部２２ｂｂがその上縁に沿って一巡して設けられている。囲い部２２ｂｂは、囲い部２２ｂｂの上縁から下方に幅２〜４ｍｍ程度の切り込み２４ｂｂが複数個形成され、隣接の切り込み２４ｂｂを間に囲い片部２６ｂｂが形成される。
【０１３１】
囲み容器１６ｂｂが籠容器４ｂｂに下方から嵌められるとき、囲い片部２６ｂｂが、スリット３０ｂｂに下方から挿通され長尺平板１３ｂｂから上方に突出する。各スリット３０ｂｂは、各囲い片部２６ｂｂに対応する位置に設けられる。
【０１３２】
図２７に、囲み容器１６ｂｂが籠容器４ｂｂの外側に嵌められた状態の両者の位置関係を示す。
【０１３３】
図２８に、育苗用トレー２ｂｂにおける籠容器４ｂｂの連設の状態を、平面図（図２８（ａ））と、側面図（図２８（ｂ））に示す。通常、籠容器４ｂｂは、４行×６列に配置される。
【０１３４】
図２７の、囲み容器１６ｂｂが籠容器４ｂｂの外側に嵌められた状態で、囲み容器１６ｂｂに培土が投入され、囲み容器１６ｂｂが投入された培土で満たされる。培土は加熱されると固化する、図１２の態様におけると同様の培土が用いられる。
【０１３５】
複合トレー３１ｂｂを用いた一連の操作を図２９により説明する。
工程１：囲み容器１６ｂｂを籠容器４ｂｂに下方から外挿し、小型根鉢の鉢部と同型の型片６４ｂの上面を囲み容器１６ｂｂの上縁と面一にして囲み容器１６ｂｂの中心部にセットする。（図２９（ａ））。
工程２：囲み容器１６ｂｂに加熱により固化する性質の培土５４を充填する。このとき、培土５４の上面を囲み容器１６ｂｂの上縁と面一にする。型片６４ｂにより培土５４の上面に凹陥部７０が形成される（図２９（ｂ））。
工程３：培土５４を加熱して培土５４を固化する。好ましくは囲み容器１６ｂｂ及び型片６４ｂを加熱することにより培土５４を加熱して固化する（図２９（ｂ））。
工程４：囲み容器１６ｂｂ及び型片６４ｂを籠容器４ｂｂから取り外す（図２９（ｃ））。
工程５：培土５４の凹陥部７０に、別途用意された、苗５６を備える小型根鉢７２を挿入する（図２９（ｄ））。
工程６：この状態で培土５４に苗５６を根付かせる。
工程４は、工程４又は工程５の後になるよう順番が変更されてもよい。
【０１３６】
培土５４の加熱は、囲み容器１６ｂｂ及び型片６４ｂを加熱することによりなされることが好ましい。この場合、囲み容器１６ｂｂ及び／又は型片６４ｂは金属等の熱伝導性の良好な材料から成ることが培土５４の加熱による固化が短時間でなされて好ましい。培土５４の加熱は、スチームや熱風を用いて行われてもよい。あるいは、誘導加熱により行われてもよい。
【０１３７】
囲み容器１６ｂｂは、側壁及び／又は底壁に図３０に示す多数の切り目状の孔２０２が形成されていてもよい。この態様は、培土５４の加熱がスチームや熱風を用いて行われる場合に、スチームや熱風のような熱媒体が直接培土５４に接触する機会が増え、短時間で有効な培土５４の加熱がなされ好ましい。更に、スチーム加熱の場合は固化後の湿潤状態からの乾燥も促進される。
【０１３８】
孔２０２は縦長、もしくは横長であってもよい。断面が円形や角形であってもよい。側壁や底壁が孔２０２により格子状になっていてもよい。囲み容器１６ｂｂの側壁や底壁が金網のような網状物を用いて形成されていてもよい。この場合は、網状物の目が孔２０２となる。孔２０２の幅は広いことが好ましいが、広すぎると充填された固化前の培土がその孔からポット状容器２００の外に脱落するので、孔２０２の短径は０．１〜６ｍｍが好ましい。短径が０．１ｍｍ未満であると培土との充分な接触が妨げられる。短径とは、孔２０２の断面形状を矩形あるいは長円形に近似したときの最短のさしわたし径である。
【０１３９】
このような切り目状の孔２０２の形成は、囲み容器１６ｂｂのみならず、加熱により固化する培土を用いて固化培土を作る本発明の態様に用いられる全ての態様の囲み容器（例えば囲み容器１６、１６ａ、１６ｂ、１６ｃ、１６ｄ、１６ｆ、５０）に好適に適用出来る。
【０１４０】
図２９に示す態様により、固化された培土５４に苗５６が根付いた根鉢６１ｂｂが得られ、この根鉢６１ｂｂが籠容器４ｂｂに収納された状態のポットレストレー構造６０ｂは流通過程に供することができ、根鉢６１ｂｂは運搬等の流通の過程で崩れにくく、籠容器４ｂｂからの取り出しも容易である。更に、図２９の態様においては、隣接の根鉢６１ｂｂの鉢部の間隔６４ｂｂが指を挿入するに充分なほど広いので、根鉢６１ｂｂの籠容器４ｂｂからの取り出しが非常に容易である。これは、図２６に複合トレー３１ｂｂにおける格子ユニット１２ｂの各辺が長尺平板１３ｂｂから成り、長尺平板１３ｂｂの幅を所定の大きさとして、互いに隣接の籠容器４ｂｂに対応するスリット３０ｂｂの間隔Ｓを確保することにより実現される。
【０１４１】
又、小型根鉢は、培土５４の凹陥部７０に挿入されるだけで苗の培土５４への植付けがなされるので、培土５４の表面にいちいち植付け用の穴を形成する必要がなく、植付け操作が簡略化される。
【０１４２】
更に、根鉢６１ｂｂが直接籠容器４ｂｂに収納されているので、根鉢６１ｂｂの培土の部分の外面は直接外気に触れることとなり、培土中の根の成長がその外面で止まる。これにより、通常の樹脂製ポットにみられるような根巻きの発生が防止される。
【０１４３】
なお、固化された培土５４には、直接種を撒くことも行われる。この場合は、凹陥部７０の形成は一般には不要であり、型片６４ｂは使用されないが、植物の種類によっては、発芽後の根上がり防止のため、凹陥部７０の底に種を載置後、凹陥部７０を土で埋めて種の覆土を行なうことが好ましい。この根上がり防止のための覆土にとって更に好ましい凹陥部の態様を図５４に示す。図５４（ａ）においては、固化培土５４ｄｄの上面にすり鉢状凹陥部７０ｓｓが形成され、更にすり鉢状凹陥部７０ｓｓの底部に円筒状凹陥部７０が形成されている。図５５（ａ）は、固化培土５４ｄｄに種３５０が蒔かれて覆土３５２により覆われた状態を示す。図５４（ｂ）においては、固化培土５４ｄｂの上面に円筒状大凹陥部７０ｓｂが形成され、更に円筒状大凹陥部７０ｓｂの底部に円筒状凹陥部７０が形成されている。図５５（ｂ）は、固化培土５４ｄｂに種３５０が蒔かれて覆土３５２により覆われた状態を示す。
【０１４４】
更に、図５６に示すように、上面にすり鉢状凹陥部７０ｓｃが形成された固化培土５４ｄｃは、種３５０が蒔かれたときすり鉢状凹陥部７０ｓｃの中心部３５７即ち固化培土５４ｄｃの中央に自然に集まり好ましい。固化培土５４ｄｃは蒔種後鉢状凹陥部７０ｓｃは覆土３５３により覆われる。
【０１４５】
図２９（ａ）〜図２９（ｃ）に示す態様で得られ、図５４〜図５６の形状を有する本発明の固化培土は、種から幼苗を育成するための小型の培土塊に適用出来る。この小型の培土塊は、従来は多数のセルが面方向に集合してなるセルトレーを用いて作られる。個々のセルに充填した培土が、そのままそのセルに収納された状態の培土塊となる。この培土塊には種が植えられることとなる。
【０１４６】
この培土塊に替えて、図２９（ａ）〜図２９（ｃ）に示す態様で得られ、図５４〜図５６の形状を有しかつ通常のポット用の固化培土より小型の本発明の固化培土を用いることが出来る。
【０１４７】
この場合、図６７に示すように、従来のセルトレーのセルと同様な配置のセル３１１による凹陥セル部３１０を有する固化培土用セルトレー３１２に固化前の培土を充填し、加熱固化して小型固化培土となすことが出来る。固化により得られた小型固化培土には種が植えられ、発芽確認後稚苗の段階で通常のポット内の培土に小型固化培土ごと移植される。あるいは、小型固化培土ごと直接畑に移植されることとなる。固化培土用セルトレーに収納状態の小型固化培土は、型崩れしにくいので、種蒔き後、セルからの取り出しが容易でかつ取り出し後の取り扱いが容易である。
【０１４８】
このような本発明の小型固化培土も、種が蒔かれたときすり鉢状凹陥部の中心部即ち小型固化培土の中央に自然に集まり好ましい。更に、図５４に示す形状の小型固化培土は、発芽後の苗の根上がりが防止できて好ましい。又、図５５に示す態様においては、通常のサイズの固化培土においても小型固化培土においても、発芽後の苗の根が横方向に延びて円筒状凹陥部７０の側壁でその側壁の周方向に巻くこととなるので、根上がり防止効果のうえでは図５６に示す形状よりも更に好ましい。
【０１４９】
更に、工程３が終了した状態で、固化した培土５４が収まっている複合トレー３１ｂｂを一時的に複数段に積み重ねておくことがある。このために、囲み容器として、図３１に示す形状の囲み容器１７ｂｎが好適に用いられる。囲み容器１７ｂｎは外側面又は外底面から下方に延出される一組の脚３９ｂｎを備える。図３２に示すように、固化した培土５４が収まっている複合トレー３１ｂｂｂが複数段に積み重ねられると、脚３９ｂｎの下端が直下の段の複合トレー３１ｂｂｂの上部枠１０ｂに載置されて、囲み容器１７ｂｎの外底と、直下の段の複合トレー３１ｂｂｂの固化した培土５４の上面とのあいだに間隙ができる。これにより、囲み容器１７ｂｎの外底により直下の段の複合トレー３１ｂｂｂの固化された培土５４が押しつぶされることがなくなり、複合トレー３１ｂｂｂの複数段の積み重ねが可能となる。脚３９ｂｎの下端には上部枠１０ｂと係合するための脚係合部２９ｂｂが設けられる。
【０１５０】
更に、固化した培土５４が収まった状態の、上方に開口したポット状容器が連設されてなる育苗用トレー（育苗用トレー２、育苗用トレー２ｂｂ等）の複数段の積み重ねを可能とする態様としては、図３３に示すように、上下の育苗用トレー２ｘ、２ｘのあいだにスペーサ３３ｓを重畳状態で介在させる。スペーサ３３ｓは、基板部３４ｓと、基板部３４ｓから垂下する脚部３５ｓを備える。脚部３５ｓは、隣接のポット状容器４ｘを連結する連結部４０ｘの上面に載置され、ポット状容器４ｘの外底と、直下の段の育苗用トレー２ｘの固化した培土５４の上面とのあいだに間隙ができる。これにより、ポット状容器４ｘの外底により直下の段の育苗用トレー２ｘの固化された培土５４が押しつぶされることがなくなり、育苗用トレー２ｘの複数段の積み重ねが可能となる。図３３に示す態様は、固化した培土５４が収まっている複合トレー３１ｂｂを一時的に複数段に積み重ねておくことにも適用出来る。
【０１５１】
図２９の工程１における型片６４ｂの上面を囲み容器１６ｂｂの上縁と面一にして囲み容器１６ｂｂの中心部にセットする具体的態様の一例を示す。図３４（ａ）に示すような複数個の型片６４ｂが上面で連結棒７０ｂｂを介して連結されて連結型片６８ｂとなっている。型片６４ｂの配置は、籠容器４ｂｂの位置に対応し、各型片６４ｂが対応の囲み容器１６ｂｂ（籠容器４ｂｂ）の中心部に位置するよう間隔が定められている。連結棒７０ｂｂ同士も、連結横棒７２ｂｂを介して連結されている。連結棒７０ｂｂ、連結横棒７２ｂｂとも扁平な線材から成り、扁平面を型片６４ｂの上面と平行にして型片６４ｂに接合されていることが好ましい。
【０１５２】
本発明の他の態様においては、連結型片は、型片６４ｂが平板３２０の片面に列配されて固着された図３４（ｂ）に示す連結型片６８ｃであってもよい。平板３２０は網状やパンチメタル状であってもよい。
【０１５３】
図３５（ａ）のように、囲み容器１６ｂｂが籠容器４ｂｂの外側に嵌められた状態で、連結型片６８ｂを囲み容器１６ｂｂに載置し、型片６４ｂの上面を囲み容器１６ｂｂの上縁と面一にして囲み容器１６ｂｂの中心部にセットする。次いで（図３５（ｂ））、囲み容器１６ｂｂに培土５４を投入し、培土５４の囲み容器１６ｂｂの上縁から上方に盛り上がった部分４４ｂを掻き落としナイフ４６ｂで矢印方向に掻き落として培土５４の上面が囲み容器１６ｂｂの上縁と面一になる図３５（ｃ）の状態にする。この状態で培土５４を加熱して固化させる。
【０１５４】
型片６４ｂの上面を囲み容器１６ｂｂの上縁と面一にして囲み容器１６ｂｂの中心部にセットする具体的態様の他の一例においては、図３６に示す型片治具６６ｂが用いられる。型片治具６６ｂは型片６４ｂの下面中央から棒部材７７ｂを垂下させて成る。図３７に、型片治具６６ｂをセットする態様を示す。なお、図３７においては、囲み容器１６ｂｂ及び籠容器４ｂｂ（図２７）を簡略化した容器として符号７２ｂに示す。まず、図３７（ａ）に示すように、容器７２ｂの内底面７５ｂの中央から、型片６４ｂを上方にして型片治具６６ｂを立設させる。このとき、棒部材７７ｂの下端が、内底面７５ｂの中央に設けられた円筒状の係合子７６ｂに嵌入されて係合し一時的に固定される。係合子７６ｂは、囲み容器１６ｂｂ又は籠容器４ｂｂの内底面に設けられる。籠容器４ｂｂの内底面の隙間をぬって囲み容器１６ｂｂの内底面に設けることも可能である。
【０１５５】
次いで、容器７２ｂに培土５４を投入し、培土５４の容器７２ｂの上縁から上方に盛り上がった部分を掻き落としナイフで掻き落として培土５４の上面が容器７２ｂの上縁と面一になる図３７（ｂ）の状態にする。この状態で培土５４を加熱して固化させる。培土５４が固化した後、培土５４から型片治具６６ｂを引き抜く（図３７（ｃ））。このように、簡単な治具を用いて凹陥部７０を有する固化培土７４ｂを製造できる。
【０１５６】
容器７２ｂとして、育苗ポット形状の内壁面を有する型容器を使用して固化培土７４ｂを製造することも出来る。この場合は、製造された固化培土７４ｂを通常の育苗ポット用トレーの形状を有し、籠の高さがその固化培土７４ｂの高さより低い育苗用トレーに移しかえて、その固化培土７４ｂの上部をその籠の上縁から上方に突出させた状態で収納する。その固化培土７４ｂに植苗して根鉢とし、根鉢の培土部分の上部がその籠の上縁より上方に突出た本発明のポットレストレー構造が得られる。前述のように、このポットレストレー構造はそのまま流通に供することができ、流通の過程で容易に育苗用トレーから根鉢を取り出すことが出来る。
【０１５７】
本発明の更に他の態様においては、図３８に示す厚板状の固化培土１５０が製造されて用いられる。厚板状の固化培土１５０は、浅底で上方に開口した箱型の型容器１５２に、加熱により固化する前述の培土５４を充填して加熱する（図３８（ａ））。次いで固化した培土５４（固化培土１５０）を箱型の型容器１５２から取り外して複数の苗１５６を植え付ける（図３８（ｂ））。その後、浅底で上方に開口した箱型の籠容器１５４に固化培土１５０を収納する（図３８（ｃ）、図３９）。籠容器１５４に収納された苗１５６を植え付けられた固化培土１５０は、流通過程に供される。この態様のポットレストレー構造１５５は、複数の苗をまとめて購入するニーズに対して好適に対応出来る。特に、例えば花の色など種類の異なる苗を所定の規則で植え付けたものは、購入者が苗の選択やレイアウトに労することなく苗のまとめ買いができ、そのまま地面に植え付けも出来るので好ましい。厚板状の固化培土１５０には、図Ｔに示すように、苗が密集した状態の苗群１５６や、芝生状の苗１５７を広く植え付けて商品とすることも出来る。
【０１５８】
厚板状の固化培土１５０は、固化する前に上面に図２９に示す凹陥部７０のような種蒔き用あるいは根鉢植付け用の凹陥部が、図３４に示すような連結型片６８ｂや連結型片６８ｃを用いてプレスにより多数形成されてもよい。
【０１５９】
籠容器１５４に固化前の培土を直接充填してそのまま固化して厚板状の固化培土１５０を得ることも出来る。この態様は、固化のための加熱がスチーム加熱である場合に好ましい。
【０１６０】
ポットレストレー構造１５５は、固化培土１５０が直接籠容器４に収納された状態に収まっているので、固化培土１５０の外面は直接外気に触れることとなり、固化培土１５０に植え付けられた植物の根の成長がその外面で止まる。これにより、通常の樹脂製ポットにみられるような根巻きの発生が防止される。
【０１６１】
本発明の又更に他の態様においては、図４０に示すように、籠容器１５４を型容器１５２の内側に重ねて培土５４を充填して加熱する。加熱後型容器１５２を外すことにより、ポットレストレー構造１５５（籠容器１５４に収納された固化培土１５０）が短縮された工程で得られる。
【０１６２】
図４１に示すように、培土５４を固化させるに際して、型容器１５２に投入された培土５４の上面と面一になるように、複数の型片６４ｂを型容器１５２内に列配して培土５４を加熱することが出来る。得られた固化培土１５０ａには、小型根鉢７２を挿入するための複数の凹陥部７０が列配されて形成される。この態様は、複数の小型根鉢７２を効率よく美的に整列させて固化培土１５０ａに植え付けできるので好ましい。
【０１６３】
本発明の更に別の態様においては、固化培土を得るために図４２に示す育苗用トレー用のポット状容器２００が用いられる。ポット状容器２００は、側壁に多数の切り目状の孔２０２が形成されている。孔２０２は、ポット状容器２００の底壁にも形成されていることが好ましい。ポット状容器２００には、加熱により固化する培土が充填されて加熱される。加熱は、その培土が充填されたポット状容器２００をスチーム又は熱風のような気体の熱媒体の雰囲気に投入することにより行なわれる。この熱媒体の熱により、その培土が固化する。切り目状の孔２０２により気体の熱媒体と培土との接触面積が大きくなるので、培土が効率よく加熱され、更に、スチーム加熱の場合は固化後の湿潤状態からの乾燥も促進される。
【０１６４】
加熱時に、熱媒体と培土とが充分に接触して培土の加熱が行なわれるようにするために、孔２０２の幅は広いことが好ましいが、広すぎると充填された固化前の培土がその孔からポット状容器２００の外に脱落するので、孔２０２の短径は０．１〜６ｍｍが好ましい。短径が０．１ｍｍ未満であると培土との充分な接触が妨げられる。短径とは、孔２０２の断面形状を矩形あるいは長円形に近似したときの最短のさしわたし径である。
【０１６５】
ポット状容器２００は充填された培土を固化させた後、その固化させた培土が収められた状態で苗を植えてそのまま流通過程に供することが出来る。なお、ポット状容器２００に充填された培土を固化させた後、その固化させた培土が収められた状態で苗を植えてそのまま流通過程に供する場合、ポット状容器２００の側壁に図４２に示す多数の切り目状の孔２０２が形成されていると、根巻き防止の効果があり好ましい。
【０１６６】
ポット状容器２００に充填された培土を固化させる態様の一例を図４３に示す。ポット状容器２００は連接して用いられることが好ましい。図４３（ａ）において、ポット状容器２００が連接用部材２０３を介して連接されて成る育苗用トレー２ｇの、ポット状容器２００の内側上部に型片６４ｂを固定する。同時に、型棒２０４をポット状容器２００の内側上部から上方に突出した状態で固定する。型片６４ｂと型棒２０４とは連結棒体２０６に連結部２０８を介して接合されて連結型２１０となっている。
【０１６７】
この状態で加熱により固化する培土５４をポット状容器２００に充填し、加熱して培土５４を固化させる（図４３（ａ））。培土５４が固化した後、連結型２１０を撤去すると育苗用トレー２ｇのポット状容器２００に固化した培土５４が収まった状態が得られる（図４３（ｂ））。次いでポット状容器２００に収まった状態の固化した培土５４の、型片６４ｂの撤去あとの凹陥部７０に小型根鉢７２を挿入し、苗２６を根付かせ根鉢２４を作る。更に、型棒２０４の撤去あとの縦穴状の細長凹陥部７０ａに表示札２１１の脚棒２１２を嵌入し、表示札２１１を固化した培土５４の上面に立設する（図４３（ｃ））。
【０１６８】
表示札２１１は、固化培土が硬くない場合は、細長凹陥部７０ａの形成されてない部分に突き刺しても、固化培土の骨格のネットワーク構造を利用して安定して立設させることが出来る。又、表示札２１１は、脚棒２１２の先端部に抜け止めアンカーを設けることにより使用時の抜け落ちを防止できる。この態様の具体例を図４５（ａ）〜図４５（ｅ）に示す。図４５（ａ）において、表示札２１１ａは、表示部２１５から延出される脚部２１２の先端部に、抜け止めアンカー３５０ａが設けられている。抜け止めアンカー３５０ａは、脚部２１２ａの先端から根元に向けて斜め方向に突出する尖った逆止爪３５２の１対から成る。図４５（ｂ）において、表示札２１１ｂは、表示部２１５から延出される脚部２１２の先端部に、抜け止めアンカー３５０ｂが設けられている。抜け止めアンカー３５０ｂは、脚部２１２ｂの先端部から根元に向けて斜め方向に突出する尖った逆止爪３５２の２対から成る。図４５（ｃ）の表示札２１１ｃは、抜け止めアンカー３５０ｃが１個の逆止爪３５２から成る。図４５（ｄ）において、表示札２１１ｄは、表示部２１５から延出される扁平長尺の脚部２１２ｄの先端部に、抜け止めアンカー３５０ｄが設けられている。抜け止めアンカー３５０ｄは、脚部２１２ｄの側縁３５６の先端部から根元に向けて斜め方向に突出する尖った逆止爪３５２の１対から成る。図４５（ｅ）において、表示札２１１ｅは、表示部２１５から延出される丸棒状の脚部２１２ｅの先端部に、抜け止めアンカー３５０ｅが設けられている。抜け止めアンカー３５０ｅは、脚部２１２ｅの先端部が鉤状に曲げられたフック３５７から成る。
【０１６９】
これらの表示札はいずれも樹脂の射出成形などにより効率的に製造が可能であり、かつ抜け止めの効果に優れる。
【０１７０】
なお、型片６４ｂや型棒２０４は、培土５４をポット状容器２００に充填した後に、その充填された培土５４の上面に押し付けて凹陥部７０や縦穴状の細長凹陥部７０ａを形成してもよい。
【０１７１】
又、型片６４ｂや型棒２０４を、図４３（ａ）のように培土５４に埋めた状態で培土５４を固化してもよいが、型片６４ｂや型棒２０４を撤去した後、培土５４が型片６４ｂや型棒２０４により型付けられた状態で培土５４を固化してもよい。
【０１７２】
育苗用トレー２ｇと、育苗用トレー２ｇのポット状容器２００に収められた状態の根鉢２４とから構成される本発明のポットレストレー構造２１４（図４３（ｃ））は、その状態で流通過程に供し、固化した培土を備える根鉢２４を販売してポット状容器２００から取り出して顧客に渡すことが出来る。
【０１７３】
この態様においては、連結型２１０が使用されずに、固化された培土に凹陥部７０や縦穴状の細長凹陥部７０ａが形成されていなくともよい。とくに、固化された培土に種を植え付ける場合や、根付きの容易な苗を植えつける場合等には凹陥部７０が形成されていなくともよい。
【０１７４】
ポット状容器２００で構成される育苗用トレー２ｇを用いることにより、固化培土の製造と流通用の容器とが兼用でき移しかえが不要となり、かつ、固化培土の製造の工程も簡略化される。
【０１７５】
図４２に示すポット状容器２００を用いて作られた固化培土は、スチームで固化された場合湿っているので、ポット状容器２００から取り出して図５７に示すような通常の育苗ポット用トレー２００ｔの籠状のポット収納部（ポット状容器）２０２ｔに収納して乾燥のためしばらく放置してもよい。ポット収納部２０２ｔの側壁は縦桟１６間に大きな開口を有するので乾燥速度が大になり、このような移し替えは好ましい。
【０１７６】
ポット状容器を用いて作られた固化培土を通常の育苗ポット用トレーに移し替えて流通に供する場合は、ポット状容器の側壁に図４２に示す多数の切り目状の孔２０２が形成されていることは必要ない。むしろ、ポット状容器の内側壁は無孔で平滑であることが固化された固化培土の取り出しの抵抗力が少なくて好ましい。取り出しの際、ポット状容器の内底面と固化培土の底面との間に生ずる空間が負圧になるおそれがあるのでポット状容器の底壁には孔が設けられることが好ましい。ポット状容器の内側壁が無孔である場合、固化すべき培土の加熱は、電子レンジにおける加熱方式のような誘導加熱方式で行なわれることが培土の内部まで効率よく短時間で加熱できて好ましい。
【０１７７】
内側壁が無孔で平滑であるポット状容器による固化培土の製造は、例えば、図１９に示す連接囲み容器１７ｄを培土を固化するための成形用型容器として用いて行なうことが出来る。連接囲み容器１７ｄは囲み容器１６ｄが連接されて成る。
【０１７８】
本発明の他の態様として、連接囲み容器１７ｄと従来の育苗ポット用トレーとを用いて、固化培土が育苗ポット用トレーの個々のポット収納部に収まった状態の、ポットレストレー構造を得ることが出来る。
【０１７９】
連接囲み容器１７ｄと、籠形のポット収納部が連設されてなる従来の育苗ポット用トレーとによる固化培土の製造の態様の一例を図６８に順を追って示す。
工程１：従来の育苗ポット用トレー３２０の個々のポット収納部３２２を、連接囲み容器１７ｄの個々の囲み容器１６ｄに、そとがわから嵌めた後、ポット収納部３２２に固化前の培土５４を充填する。なお、連接囲み容器１７ｄは上面の周縁３２４に、周縁３２４から上方に延出し周縁３２４を一巡する側壁部３２６を備えることが好ましい。側壁部３２６により、投入される培土５４が周縁３２４から外側にこぼれることが防止され、、適正な量の培土５４を側壁部３２６の内側に投入することが出来る。（図６８（ａ））
工程２：押し板３３０の下面３３２により、充填された培土５４を上から圧縮する。押し板３３０は、連接囲み容器１７ｄの上面視外形とほぼ同型の大きさの板であり、すべてのポット収納部３２２に充填された培土５４を同時に圧縮する。圧縮は押し板３３０を振動させながら行なうことが充分な圧縮を行なううえで好ましい。（図６８（ｂ））
工程３：圧縮により各囲み容器１６ｄの上縁から上方や外側にはみでた培土を、すり切り用板を用いて横に移動させてすり切る。すり切り用板は棒状のすり切り用部材であってもよい。（図６８（ｃ））
工程４：図３４に示す連結型片６８ｂあるいは連結型片６８ｃを用いて、充填された各培土５４の上面をプレスして凹陥部７０ｘｘを形成する。これにより、培土５４が押し固められて成形された培土５４ｓとなる。培土５４は、繊維質のものと水や一般の培土とが混合された粘土状のものであるので、このような圧縮により、自立して形態が維持される程度に押し固められる。（図６８（ｄ））
工程５：連接囲み容器１７ｄを育苗ポット用トレー３２０から取り外し、押し固められた培土５４が個々のポット収納部３２２に収められた状態とし、この状態で、培土５４ｓを加熱して固化させる。（図６８（ｅ））
【０１８０】
この加熱はスチーム加熱によることが出来る。ポット収納部３２２は側壁の開口部が大きい籠形であり、加熱時にスチームと培土との接触が充分になされ効果的な加熱がなされる。この加熱は誘導加熱方式によるものであってもよい。
【０１８１】
固化後の培土は、育苗ポット用トレー３２０に収納された状態で植付け等の次工程に供することが出来る。連接囲み容器１７ｄは育苗ポット用トレー３２０から取り外して、再度工程１に供するという繰り返しの使用が可能となる。この態様は、連接囲み容器１７ｄを１個用意して使いまわしができ、設備費が節約されて好ましい。
【０１８２】
更には、連接囲み容器１７ｄを恒久的設備の一部分として固化装置に固定して組み込み、育苗ポット用トレー３２０を着脱する態様とすることも出来る。この態様は、工業的実施の場合、設備が安定し、自動化も容易で安定的かつ能率的生産のうえで好ましい。
【０１８３】
図３８に示す厚板状の固化培土１５０も、この工程１〜５により製造することが出来る。この場合は、連接囲み容器１７ｄに替えて上方に開口した箱形の囲み容器と、育苗ポット用トレー３２０に替えてその箱形の囲み容器に内嵌される上方に開口した籠状箱形容器とが用いられる。籠状箱形容器としては仕切りのない箱形の従来の育苗ポット用トレーが用いられてもよい。得られた厚板状の固化培土は、籠状箱形容器から取り出して他の容器に移し替えてもよい。又、その籠状箱形容器に収納された状態で運搬や植付け等の次工程に供することも出来る。
【０１８４】
本発明においては、固化された固化培土はハンドリングにより崩れることがないために、このような態様で培土を固化させたのち更に他の容器に、手であるいは機器を用いて、容易に移し替えることも可能となる。
【０１８５】
これらの諸態様における固化培土の移し替えは手で行なってもよいが、固化培土はハンドリングが容易なので移し替え装置（ロボット）により行うことが好ましい。図５８に移し替え装置３０２の構成の一例を示す。図５８において、移し替え装置３０２は、スライダ用基台３１０と、スライダ用基台３１０に組み付けられてＸ方向に移動するＸ移動台３１２と、Ｘ移動台３１２に組み付けられてＹ方向に移動するＹ移動台３１４と、Ｙ移動台３１４に組み付けられて上下方向（Ｚ方向）に移動するＺ移動シャフト３１６と、移動シャフト３１６の下端に取り付けられた一連のピックアップヘッド（ピックアップ手段）３２０と、スライダ用基台３１０を支持する支持脚台３２２と、支持脚台３２２の下方をくぐってトレー３３６ｋを載置して運ぶコンベア３２４とを備えて構成される。トレー３３６ｋは図４２に示すポット状容器２００が格子状に配設連設されて成る。
【０１８６】
Ｘ移動台３１２、Ｙ移動台３１４、Ｚ移動シャフト３１６を不図示の制御盤に設けられた制御回路（制御手段）を介して所定のプログラムにより移動させ、又、ピックアップヘッド３２０を作動させることにより、固化培土３３８ｋがトレー３３６ｋから、育苗ポット用通常トレー２００ｔへの移し替えが行なわれる。Ｘ移動台３１２、Ｙ移動台３１４、Ｚ移動シャフト３１６がピックアップ手段３２０を空間内で移動させる移動手段３１９を構成する。この移動操作は、トレー３３６ｋが載置されたコンベア３２４と、育苗ポット用通常トレー２００ｔが載置されたコンベア３２５の動きと連動して行なわれ、固化培土３３８ｋが一列づつ順次移し替えられる。
【０１８７】
Ｚ移動シャフト３１６は、１又は複数個のピックアップヘッド３２０を備えることが出来るが、トレー３３６ｋのすべてのポット状容器２００（図４２）の数と位置に対応するピックアップヘッド３２０が設けられて固化培土がワンショットで移し替えられてもよい。
【０１８８】
図５９にピックアップヘッド３２０の構成の一例を示す。図５９においてピックアップヘッド３２０が、一対の腕２０４ｓ、２０６ｓを備え、先端同士で被挟持物を開閉自在に挟持する構成となっている。腕２０４ｓ、２０６ｓの元端部は、それぞれピックアップヘッド基体２０９ｓに軸着されている。腕２０４ｓ、２０６ｓの先端には、それぞれ把持フック２０３ｓ、２０５ｓが設けられている。把持フック２０３ｓ、把持フック２０５ｓとの間に固化培土３３８ｋ（図５８）が挿入されて、不図示の駆動手段で腕２０４ｓ、２０６ｓを駆動して固化培土３３８ｋを挟持する。
【０１８９】
図６０にピックアップヘッドの構成の他の一例を示す。図６０においてピックアップヘッド３２０ａが、下端に逆止爪を有する突き刺し棒４０２と抑え部４０４とを備えて構成される。突き刺し棒４０２はヘッド本体４００に上下動可能に取り付けられている。抑え部４０４は抑え環４０６と、抑え環４０６をヘッド本体４００に対して固定する固定アーム４０８から成る。抑え環４０６は、中心軸の方向が上下方向となるようにヘッド本体４００の下方に固定される。又、抑え環４０６は、突き刺し棒４０２が下方に動するときに抑え環４０６の中空部を貫通し、かつ突き刺し棒４０２が移動して最も上方の位置に達したときに突き刺し棒４０２の下端が抑え環４０６の下面より下方に突出していない状態となる位置に固定アーム４０８を介して固定されている。
【０１９０】
ピックアップヘッド３２０ａの作動を順をおって図６０（ａ）〜（ｆ）に示すならば、
図６０（ａ）：トレー３３６ｋ（図５８）を構成するポット状容器２００におさまっている固化培土３３８ｋの真上にピックアップヘッド３２０ａを位置させる。このとき、抑え環４０６は固化培土３３８ｋの上面に接するか上面４１０よりやや間隔をおいた位置にくる。突き刺し棒４０２は上下動の最上部に位置している。
図６０（ｂ）：突き刺し棒４０２を固化培土３３８ｋに突き刺さる位置まで降下させる。
図６０（ｃ）：突き刺し棒４０２が固化培土３３８ｋに突き刺ささった状態で、ピックアップヘッド３２０ａを上昇させる。これにより、固化培土３３８ｋがポット状容器２００から上方に引き抜かれる。
図６０（ｄ）：突き刺し棒４０２が固化培土３３８ｋに突き刺ささった状態で、ピックアップヘッド３２０ａを水平方向に移動させ、固化培土３３８ｋを通常の育苗ポット用トレー２００ｔ（図５８）のポット収納部２０２ｔの真上に位置させ次いで降下させてポット収納部２０２ｔに固化培土３３８ｋを収納し、抑え環４０６が固化培土３３８ｋの上面に接する状態でピックアップヘッド３２０ａを停止させる。
図６０（ｅ）：抑え環４０６が固化培土３３８ｋの上面に接する状態で突き刺し棒４０２を上昇させ、固化培土３３８ｋから引き抜く。
図６０（ｆ）：ピックアップヘッド３２０ａを上昇させる。
このあとピックアップヘッド３２０ａを水平方向に移動させ、次のポット状容器におさまっている固化培土の真上にピックアップヘッド３２０ａを位置させ次いで再び図６０（ａ）と同様の状態となる。
【０１９１】
図６０の態様は、固化培土の上面がポット状容器の上縁より下方に位置する状態でポット状容器におさまっている場合に好適に適用される。
【０１９２】
又、図６０の態様においては、抑え環４０６もヘッド本体４００に対して上下動可能とされて、突き刺し棒４０２で突き刺された固化培土を下方に押出して突き刺し棒４０２が抜かれる構成であってもよい。
【０１９３】
固化培土の上面がポット状容器２００の上縁４２０より下方に位置する状態でポット状容器におさまっている場合に好適に適用されるピックアップヘッドの構成の更に他の一例を図６１に示す。図６１に示すピックアップヘッド３２０ｂは図６２に示すような、上面に凹陥部７０が形成された固化培土５４をポット状容器２００から取り出す場合に好適に用いられる。図６１において、ピックアップヘッド３２０ｂは、傘状に開閉可能とされた４本の開閉アーム４４０と、各開閉アーム４４０の一端を軸着部４４８で軸着する支点円盤４４２と、支点円盤４４２の中央部を上下方向に貫通して本体４００ｂに上下動可能に取り付けられた位置決め棒４４４とを備える。位置決め棒４４４の下端部に、位置決め円板４４６が自身の面を水平にしてかつ自身の中央部で固定されている。支点円盤４４２は本体４００ｂの下面部に配置される。各開閉アーム４４０は、軸着部４４８から垂下し、自身の長手方向にみた中間部で位置決め円板４４６に当接している。軸着部４４８は支点円盤４４２の縁部に等間隔に一巡して設けられている。即ち、その縁部と同位置に中心を有しその縁部が形成する円の中心と同位置に中心を有してその縁部に重畳される十字形とその縁部との交差する位置に設けられている。各軸着部４４８では、各開閉アーム４４０が支点円盤４４２の軸着部４４８における周方向を軸方向として軸着されている。
【０１９４】
位置決め棒４４４が最も下降した位置では、４本の開閉アーム４４０の各他端４５０はそれぞれが位置決め棒４４４の軸心の方向に向けて窄まっており、位置決め棒４４４が最も下降した位置から上昇するにつれて放射状に広がる方向に移動する。
【０１９５】
４本の開閉アーム４４０の他端４５０が窄まった状態でピックアップヘッド３２０ｂを移動させて、４個の他端４５０を凹陥部７０に挿入し、次いで位置決め棒４４４をピックアップヘッド３２０ｂに対して上昇させて４個の他端４５０を放射状に広げることにより、凹陥部７０の側壁面に各他端４５０が押し当てられる。この状態でピックアップヘッド３２０ｂを他の所定の場所に移動させて、次いで位置決め棒４４４をピックアップヘッド３２０ｂに対して下降させてこの押し当てを緩和し、次いでピックアップヘッド３２０ｂを上昇させることにより開閉アーム４４０が凹陥部７０（図６２）から抜かれる。もしくは、この押し当ての緩和により固化培土５４が自然落下して開閉アーム４４０が凹陥部７０から抜かれる。
【０１９６】
固化培土５４をポット状容器２００から通常の育苗ポット用トレー２００ｔの籠状のポット収納部（ポット状容器）２０２ｔに移し替える態様の他の一例を図６３に示す。この態様においては、固化培土５４がおさまった状態のポット状容器２００が天地逆にひっくり返されて、開口を下にして載置台４６０上に載置される（図６２（ａ））。これにより、固化培土５４が上面を下にして載置台４６０上に落下する（図６２（ｂ））。次いで載置台４６０上の固化培土５４に育苗ポット用トレー２００ｔのポット収納部（ポット状容器）２０２ｔを上からかぶせる（図６２（ｃ））。次にポット収納部２０２ｔをかぶせられた状態のままで固化培土５４を、育苗ポット用トレー２００ｔのポット収納部２０２ｔとともに天地逆にひっくり返えすことにより、育苗ポット用トレー２００ｔのポット収納部２０２ｔに固化培土５４が納められた状態となる（図６２（ｄ））。
【０１９７】
固化培土５４をポット状容器２００から通常の育苗ポット用トレー２００ｔの籠状のポット収納部（ポット状容器）２０２ｔに移し替える態様の更に他の一例を図６４により説明すると、固化培土５４がおさめられた状態のポット状容器２００を、上方に突出する突起棒４６２を備えた載置台４６４上に載置する（図６４（ａ））。これにより、突起棒４６２の上部がポット状容器２００の底の開口部４６７を貫通して固化培土５４を上方へ突き上げ、固化培土５４の上縁部４６８がポット状容器２００の上縁４７０から更に上方に突出する（図６４（ｂ））。突出した上縁部４６８は、図５９に示すピックアップヘッド３２０のようなピックアップヘッドにより把持することが出来る。あるいは、上縁部４６８を指で挟んで固化培土５４を持ち上げて移し替えることが出来る。
【０１９８】
あるいは、図６５に示すように、固化培土５４がおさめられた状態のポット状容器２００を、挿通孔４７３を備えた載置台４７４上に載置し、次いで突起棒４６２を備えた載置台４６４を載置台４７４の下側から上昇させて（図６５（ａ））突起棒４６２を挿通孔４７３と開口部４６７とに貫通させると、固化培土５４が突起棒４６２により上方へ突き上げられ、固化培土５４の上縁部４６８がポット状容器２００の上縁４７０から更に上方に突出する（図６５（ｂ））。突出した上縁部４６８は、ピックアップヘッドにより把持することが出来る。あるいは、上縁部４６８を指で挟んで固化培土５４を持ち上げて移し替えることが出来る。
【０１９９】
固化培土は、このように比較的安価な育苗ポット用通常トレーに移し替えて、乾燥の促進に加えて固化培土の保管や次工程への移動や植付けなどの次工程の操作を行なうことが出来る。これにより、比較的高価なトレー３３６ｋを固化培土の固化工程と移し替え工程の間で循環使用でき、経費の節約となる。
【０２００】
なお、ポット状容器２００のようなポット状容器が移し替え専用に用いられる場合は特に、ポット状容器は樹脂製であるよりも金属製であることが、固化工程における加熱の効率が良好となり好ましい。
【０２０１】
又、図６６に示すように、本発明による固化培土を用いて得られる根鉢３７１は、鉤付き棒３７０を用いて育苗ポット用トレーの収納部（ポット状容器）３７２から取り出すことが出来る。指で固化培土部３７６をつまんで根鉢３７１を取り出す操作に比べてこの取り出し操作はきわめて単純であり、根鉢３７１の容易かつ迅速な取り出しが出来る。又、隣接の根鉢と干渉することなく目的の根鉢を取り出すことが出来る。鉤付き棒３７０は一端に、他端に向けて斜め方向に突出する尖った逆止爪３７４を備えており、根鉢３７１の固化培土部３７６に鉤付き棒３７０の一端を突き刺して引き上げることにより、根鉢３７１が取り出される。
【０２０２】
図６６に示す態様は、苗３８０が植えられていない固化培土にも好適に適用されて、ポット状容器からの取り出し操作をきわめて単純かつ容易に行なうことが出来る。
【０２０３】
本発明においては、ポット状容器２００（図４２）にかえて図４４に示す箱状容器２２０が用いられてもよい。箱状容器２２０の側壁２２２及び底壁２２４には、ポット状容器２００におけると同様の目的で多数の孔２０２が形成されている。この態様により、図３８に示すと同様の工程で、図４６に示す厚板状の固化培土２２２が箱状容器２２０に収められた状態で得られる。連結型２１０を用いて、厚板状の固化培土の上面に複数の凹陥部７０や複数の縦穴状の細長凹陥部７０ａを形成してもよい。箱状容器２２０を箱形の育苗用トレーとして用いることにより、固化培土の製造と流通用の容器とが兼用でき、移しかえが不要となり、かつ、固化培土の製造の工程も簡略化される。
【０２０４】
箱状容器２２０に収められた状態の厚板状の固化培土に苗を植生して得られるポットレストレー構造は、複数の苗をまとめて購入するニーズに対して好適に対応出来る。特に、例えば花の色など種類の異なる苗を所定の規則で植え付けたものは、購入者が苗の選択やレイアウトに労することなく苗のまとめ買いができ、そのまま地面に植え付けも出来るので好ましい。その厚板状の固化培土には、苗が密集した状態の苗群や、芝生状の苗を広く植え付けて商品とすることも出来る。
【０２０５】
更に、苗が多数植生された固化培土２２２は、そのまま、建造物の屋上の被植生面に敷詰めることができ、苗を１個づつ屋上に植えてゆく手間が省け、屋上緑化が手間をかけずに行われる。
【０２０６】
又更に、固化培土２２２は、図４８に示すように、上面が平坦な固化培土２２３とし、その上面に適切な環境のもとにコケ２６５を育成してコケ付き板状根鉢２６７とした後、このコケ付き板状根鉢２６７をそのまま建造物の屋上の被植生面に敷詰めることにより、通常は非常に手間と期間を要する建造物の屋上でのコケ面の実現を、短期間でかつ手間をかけずに行なうことが出来る。建造物の屋上でこのようにして得られたコケ面は、固化培土２２３の優れた保水性により、頻繁な水遣りを要せず、維持管理も容易である。
【０２０７】
加えて、図４９に示すように、固化培土２２３の上面に適切な環境のもとに芝生２６９を育成して芝生付き板状根鉢２７１とした後、そのまま、建造物の屋上の被植生面に敷詰めることにより、通常は非常に手間と期間を要する建造物の屋上での芝生面の実現を、短期間でかつ手間をかけずに行なうことが出来る。この芝生面も、固化培土２２３の優れた保水性と良好な水はけ性により、頻繁な水遣りを要せず、維持管理も容易である。芝生付き板状根鉢２７１はそのまま家の庭等の地面に直接敷詰めることにより、通常は非常に手間と期間を要する芝生面の実現を、短期間でかつ手間をかけずに行なうことが出来る。このようにして得られた芝生面は、固化培土２２３の優れた保水性と良好な水はけ性により芝生の成長がよく、家の庭等での維持管理も容易である。なお、コケ付き板状根鉢２６７や芝生付き板状根鉢２７１に用いられる固化培土は、加熱により固化する培土が厚板形状に固化された固化培土であれば製法は問わない。
【０２０８】
ポットレストレー構造２１４等は、固化培土が直接にポット状容器２００や箱状容器２２０に収まっているので、固化培土の外面は孔２０２を通して直接外気に触れることとなり、固化培土に植え付けられた植物の根の成長がその外面で止まる。これにより、通常の樹脂製ポットにみられるような根巻きの発生が防止される。
【０２０９】
ポット状容器２００や箱状容器２２０は、金属製であることが熱伝達が良好で好ましい。アルミ製であることが軽量かつ加工性がよく好ましいがその他の金属を素材としてもよい。孔２０２は縦長、もしくは横長であってもよい。断面が円形や角形であってもよい。側壁や底壁が孔２０２により格子状になっていてもよい。ポット状容器２００や箱状容器２２０の側壁や底壁が金網のような網状物を用いて形成されていてもよい。この場合は、網状物の目が孔２０２となる。
【０２１０】
本発明の複合トレーや、ポット状容器や箱状容器を用いて、加熱により固化する前述の培土を固化させて得られた根鉢２３２（例えば、根鉢９２、根鉢６１ｂｂ、根鉢２４、苗が植生された厚板状の固化培土２２２など、）は、図４７に示す深さ５ｃｍ程の、水２２４を入れた浅底の箱容器２２５に入れて、水２２４を浸して靜置することにより、苗の育成を効率よく行なうことが出来る。これは、本発明により得られる固化培土が、その構成要素によるマトリックス構造を有しており、水で形が崩れないのみならず、荷重で潰されない状態で固化されており、かつ、水の吸収性及び保持性に優れているためである。水２２４は、水深１ｃｍ程に箱容器２２５に張られる。この態様においては、個々の根鉢２３２ごとに水遣りする必要がなく、箱容器２２５中の水２２４が枯れないように補充するだけでよい。又、水２２４に肥料成分を溶解させておくことにより、施肥の手間も省け効果的な苗の育成を行なうことが出来る。このような水耕栽培用に用いられる根鉢は、加熱により固化する培土が固化された固化培土を備える固化培土付き根鉢であればよく、固化培土の製法は問わない。
【０２１１】
更に、図５０に示すように、図４７に示す構成に水循環手段２４４加えた栽培装置２３３により、浅底の箱容器２２５中の水２２４をポンプ２４０及び循環路２４２等から成る水循環手段２４４を経由させて循環させて、水中の肥料成分をそれぞれの根鉢２３２に万弁なく行き渡らせることができ、かつ水の特定箇所での長期の滞留を防止できる。これにより、苗の生長が促進される。
【０２１２】
又、本発明により得られる固化培土は前述のように水で形が崩れないので、図４７に示す構成は、図５１に示すように、アヤメ、カキツバタ、水バショウ等の水性植物２８８が植生された根鉢２３２ａを深目の箱容器２８５にいれて、箱容器２８５中の水２２４の水面２４８が根鉢２３２ａの固化培土２４６の上面より上方にくるように、即ち、固化培土２４６が完全に水２２４の水面下に沈んだ状態になるようにすることにより、水性植物２８８の育成に好適に用いることが出来る。水２２４には肥料成分が溶解されていることが好ましい。図５０に示す水循環手段２４４は、図５１に示す水性植物の育成の態様に適用されてもよい。なお、上述の水性植物２８８用に用いられる水性植物用固化培土は、加熱により固化する培土が固化された固化培土であれば製法は問わない。
【０２１３】
なお、図４７、図５０、図５１に示す態様においては、根鉢２３２、根鉢２３２ａは育苗用トレーに収められた状態のまま箱容器２２５に入れて、水２２４を浸して靜置してもよい。この場合は、育苗を終了した後に、育苗ポットごとまとめて複数の根鉢を効率よく取り出すことが出来る。更に、育苗ポットごとまとめて取り出された複数の根鉢をそのまま育苗ポットごとまとめて効率よく流通過程に供することが出来る。
【０２１４】
この態様に使用される育苗用トレーとしては、育苗用トレー２、育苗用トレー２ａ、育苗用トレー２ｂ、育苗用トレー２ｂｂ、育苗用トレー２ｇ等が挙げられる。通常の育苗ポットを収納する通常の育苗用トレーに根鉢２３２、根鉢２３２ａ等の固化培土（２５４、２４６）を備えた根鉢が収納されてその育苗用トレーに収められた状態のまま箱容器２２５に入れて、水２２４を浸して靜置してもよい。このように、籠状の収納部を備える育苗用トレーであれば使用が可能である。
【０２１５】
又、固化培土は水に浸漬しても形が崩れず、かつ吸水性に優れるので、育苗用トレー２、育苗用トレー２ａ、育苗用トレー２ｂ、育苗用トレー２ｂｂ、育苗用トレー２ｇ等の育苗用トレーや、連接囲み容器１７ｄや連接囲み容器１７ｆや、通常の育苗用トレーに固化培土が収まったものを、容器ごと固化培土を液肥に浸漬することにより液肥を固化培土の内部に浸透させて充分ゆきわたらせることが出来る。このような液肥への浸漬は種蒔き前に行なわれてもよい。種蒔き後に行なわれてもよい。又、この浸漬は、通常のポットのサイズの固化培土、セルトレーサイズの固化培土あるいは厚板状の固化培土にも、好適に実施される。
【０２１６】
又、図４７、図５０、図５１に示す態様は、根鉢２３２、根鉢２４６に植えられている苗を出荷状態になるまで育成する目的に使用する以外に、図４７、図５０、図５１に示す態様の状態で苗を生長させてそのまま成熟させてもよい。即ち、根鉢２３２、根鉢２４６等に備えられた固化培土（２５４、２４６）を水耕栽培用の植物の根の担体として使用することが出来る。例えば、苺の苗を備える根鉢２３２を図５０に示す態様で育成し、そのまま成長させて実を栽培することが出来る。このような水耕栽培を目的として使用される根鉢は、図４６に示す固化培土２２２のような厚板状の固化培土に複数の植物が植えられているものであってもよい。
【０２１７】
厚板状の固化培土２２２を水耕栽培用の植物の根の担体として使用する態様の一例を図５２に示す。図５２においては、複数の固化培土２２２を長尺浅底の箱容器２２５ａの底に畑の畝状に長く連ねて敷詰めて、水耕栽培用の耕栽床３３２として植物３３３を栽培する。箱容器２２５ａは樹脂製や金属製であってもよいが、地面に掘ったピットに箱容器２２５ａの機能を持たせてもよい。厚板状の固化培土２２２はこのように敷詰めるだけで水耕栽培用の耕栽床を簡単に得ることが出来る。
【０２１８】
耕栽床３３２は、図５３に示すように、多数を通路用の間隔３３４を隔てて並列させて、耕栽床群３３６とし、大規模な水耕栽培に供することが出来る。耕栽床３３２の長さＬＳは１０ｍ以上、好ましくは２０〜３０ｍとすることができ、幅ＷＳは０．８〜１．２ｍ程度とすることが好ましいが、ＬＳ、ＷＳはこれらの範囲に限定されるものではない。
【０２１９】
以上本発明のポットレストレー構造、このポットレストレー構造を作製する方法及びこの方法に用いられる複合トレーの態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【産業上の利用可能性】
【０２２０】
本発明は苗の流通に好適に利用される。
【図面の簡単な説明】
【０２２１】
【図１】本発明のポットレストレー構造及び複合トレーに用いる育苗用トレーの構成を示す斜視模式図である。
【図２】本発明の複合トレーの構成要素である囲み容器の構造と、籠容器への装着の態様を示す斜視模式図である。
【図３】囲み容器が籠容器の外側に嵌められた状態の両者の位置関係を示す斜視模式図である。
【図４】囲み容器が下方に引き抜かれ、籠容器の中に根鉢が残留した本発明のポットレストレー構造の態様の一例を示す斜視模式図である。
【図５】連設された囲み容器の態様の一例を示す図であり、図５（ａ）は平面図、図５（ｂ）は正面図である。
【図６】本発明のポットレストレー構造及び複合トレーに用いる育苗用トレーの他の態様の一例の構成を示す斜視模式図である。
【図７】本発明の他の態様の複合トレーの構成要素である籠容器と、対応の囲み容器の態様を示す斜視模式図である。
【図８】図７に示す囲み容器が籠容器外側に嵌められた状態の両者の位置関係を示す斜視模式図である。
【図９】図９（ａ）は、本発明の更に他の態様の複合トレーの構成要素である籠容器と、対応の囲み容器の態様を示す斜視模式図である。図９（ｂ）は、囲み容器の籠容器への装着の態様を示す斜視模式図である。
【図１０】連設された他の態様の囲み容器の態様を示す図であり、図５（ａ）は平面図、図５（ｂ）は正面図である。
【図１１】本発明のポットレストレー構造を得る工程を図１１（ａ）〜（ｄ）により説明する図である。
【図１２】培土として、加熱により固化する性質のものを用いた本発明のポットレストレー構造を得る工程を図１２（ａ）〜（ｄ）により説明する図である。
【図１３】本発明の他の態様の複合トレーの構成要素である囲み容器と、対応の籠容器の態様を示す斜視模式図である。
【図１４】図１３に示す囲み容器の籠容器への装着の態様を示す斜視模式図である。
【図１５】図１３に示す囲み容器の他の態様を示す模式図である。
【図１６】図１３に示す複合トレーを用いて本発明の他の態様のポットレストレー構造を得る工程を図１６（ａ）〜（ｃ）により説明する図である。
【図１７】本発明の更に他の態様の複合トレーの構成要素である籠容器と、対応の囲み容器の態様を示す斜視模式図である。
【図１８】図１７に示す籠容器を構成要素とする本発明の育苗用トレーの構成を示す斜視模式図である。
【図１９】図１７に示す囲み容器を構成要素とする連接囲み容器の構成を示す斜視模式図である。
【図２０】図１７に示す複合トレーを用いて本発明の他の態様のポットレストレー構造を得る工程を図２０（ａ）〜（ｃ）により説明する図である。
【図２１】本発明の更に別の態様の複合トレーの構成要素である籠容器と、対応の囲み容器の態様を示す斜視模式図である。
【図２２】図２１に示す囲み容器の籠容器への装着の態様を示す斜視模式図である。
【図２３】図２２のＤ−Ｄ´方向の断面模式図である。
【図２４】図２１に示す籠容器を構成要素とする本発明の育苗用トレーの構成を示す斜視模式図である。
【図２５】図２１に示す囲み容器を構成要素とする連接囲み容器の構成を示す斜視模式図である。
【図２６】本発明の複合トレーの構成要素である囲み容器の他の態様の構造と、他の態様の籠容器（ポット状容器）への装着の態様を示す斜視模式図である。
【図２７】図２６に示す囲み容器が図２６に示す籠容器の外側に嵌められた状態の両者の位置関係を示す斜視模式図である。
【図２８】図２６に示す籠容器の連設の状態を示す、平面図（図２８（ａ））と、側面図（図２８（ｂ））である。
【図２９】図２６に示す複合トレーを用いた一連の操作の説明図である。
【図３０】図２６に示す複合トレーに用いられる囲み容器の態様の一例を示す斜視模式図である。
【図３１】固化した培土が収まっている複合トレーを複数段に積み重ねておくために用いる囲み容器の態様の一例を示す斜視模式図である。
【図３２】図３１に示す囲み容器を用いて、固化した培土が収まっている複合トレーを複数段に積み重ねる態様を示す説明図である。
【図３３】固化した培土が収まっている複合トレーを複数段に積み重ねる他の態様の一例を示す説明図である。
【図３４】図２９の操作に用いられる連結型片の構成を示す斜視模式図である。
【図３５】図３４に示す連結型片を用いた一連の操作の説明図である。
【図３６】図２９の操作に用いられる型片治具の構成を示す斜視模式図である。
【図３７】図３６に示す型片治具を用いた一連の操作の説明図である。
【図３８】厚板状の固化培土の製造の態様の一例を示す工程説明図である。
【図３９】図３８に示す工程により得られる本発明のポットレストレー構造を示す斜視模式図である。
【図４０】厚板状の固化培土の製造の態様の他の一例を示す工程説明図である。
【図４１】厚板状の固化培土の製造の態様の更に他の一例を示す工程説明図である。
【図４２】本発明の他の態様のポットレストレー構造に用いられるポット状容器の形状を示す斜視図である。
【図４３】図４２のポット状容器を用いたポットレストレー構造の作製の工程を示す工程説明図である。
【図４４】本発明の更に他の態様のポットレストレー構造に用いられる箱状容器の形状を示す斜視模式図である。
【図４５】本発明の表示札の形状の例を示す正面図である。
【図４６】図４４の箱状容器を用いた本発明の固化培土の形状の一例を示す断面模式図である。
【図４７】固化培土を用いた本発明の苗の育成方法を示す断面説明図である。
【図４８】本発明による固化培土を用いたコケ付き板状根鉢を示す断面説明図である。
【図４９】本発明による固化培土を用いた芝生付き板状根鉢を示す断面説明図である。
【図５０】固化培土による本発明の苗の育成方法において、水循環手段を用いた態様の一例を示す断面説明図である。
【図５１】本発明による固化培土を用いた水性植物の育成の態様の一例を示す断面説明図である。
【図５２】本発明による固化培土を用いた水耕栽培の態様の一例を示す断面模式図である。
【図５３】図５２に示す水耕栽培の態様による水耕栽培床の配置の一例を示す要部平面模式図である。
【図５４】本発明の固化培土の態様の一例を示す断面模式図であり、図５４（ａ）と図５４（ｂ）とでは態様が異なる。
【図５５】図５４に示す固化培土が覆土された状態を示す断面模式図であり、図５５（ａ）が図５４（ａ）に、図５５（ｂ）がと図５４（ｂ）にそれぞれ対応する。
【図５６】本発明の固化培土の図５４とは異なる態様を示す断面模式図であり、図５４（ａ）は種が蒔かれた状態、図５６（ｂ）は更に覆土された状態を示す。
【図５７】通常の育苗ポット用トレーの構成を示す要部斜視図である。
【図５８】固化培土を移しかえる移し替え装置の構成の一例を示す要部斜視模式図である。
【図５９】図５８の移し替え装置に用いられるピックアップヘッドの構成の一例を示す正面模式図である。
【図６０】ピックアップヘッドの構成の他の一例を示す正面模式図であり、ピックアップヘッドの作動を順をおって図６０（ａ）〜（ｆ）に示す。
【図６１】固化培土の上面がポット状容器の上縁より下方に位置する状態でポット状容器におさまっている場合に好適に適用されるピックアップヘッドの構成の更に他の一例を示す正面図（図６１（ａ））及び下面図（図６１（ｂ））である。
【図６２】上面に凹陥部が形成された固化培土の一例を示す断面模式図である。
【図６３】固化培土をポット状容器から通常の育苗ポット用トレーの籠状のポット収納部（ポット状容器）に移し替える一連の態様の他の一例を示す説明図である。
【図６４】固化培土をポット状容器から通常の育苗ポット用トレーの籠状のポット収納部（ポット状容器）に移し替える一連の態様の更に他の一例を示す説明図である。
【図６５】固化培土をポット状容器から通常の育苗ポット用トレーの籠状のポット収納部（ポット状容器）に移し替える一連の態様の又更に他の一例を示す説明図である。
【図６６】固化培土を用いて得られる根鉢を、鉤付き棒を用いて育苗ポット用トレーの収納部（ポット状容器）から取り出す態様を示し、図６６（ａ）は鉤付き棒を固化培土に突き刺す前、図６６（ｂ）は突き刺した状態を示す。
【図６７】本発明において用いられる固化培土用セルトレーの態様の一例を示す斜視模式図である。
【図６８】固化培土の製造の更に他の態様の一例を示す工程説明図である。
【符号の説明】
【０２２２】
２、２ａ、２ｂ、２ｂｂ、２ｆ、２ｇ：育苗用トレー
４、４ａ、４ｂ、４ｂｂ、４ｃ、４ｄ、４ｆ、５２：籠容器（ポット状容器）
８：目皿
６、６ａ、６ａｂ：縦桟
１０、１０ｂ：上部枠
１２、１２ｂ：格子ユニット
１６、１６ａ、１６ｂ、１６ｂｂ、１６ｃ、１６ｄ、１６ｆ、５０：囲み容器
１８：切込み
１８ｂｂ：辺部
２４、６１ｂｂ：根鉢
２６：苗
３０、３０ｃ、３０ｄ、６０、６０ｂ、１５５、２１４：ポットレストレー構造
３１、３１ａ、３１ｂ、３１ｂｂ、３１ｃ、３１ｄ、３１ｆ：複合トレー
２４ｂｂ：切り込み
３３ｓ：スペーサ
３５ｓ：脚部
３４ｓ：基板部
３９ｂｎ：脚
６８ｂ：連結型片
７０：凹陥部
７０ａ：細長凹陥部
７０ｂｂ：連結棒
７６ｂ：係合子
１００：切り欠き
２００：ポット状容器
２２０：箱状容器
２２５、２８５：箱容器
２６７、２７１：板状根鉢
【図１】
2005095115.tif 000003
【図２】
2005095115.tif 000004
【図３】
2005095115.tif 000005
【図４】
2005095115.tif 000006
【図５】
2005095115.tif 000007
【図６】
2005095115.tif 000008
【図７】
2005095115.tif 000009
【図８】
2005095115.tif 000010
【図９】
2005095115.tif 000011
【図１０】
2005095115.tif 000012
【図１１】
2005095115.tif 000013
【図１２】
2005095115.tif 000014
【図１３】
2005095115.tif 000015
【図１４】
2005095115.tif 000016
【図１５】
2005095115.tif 000017
【図１６】
2005095115.tif 000018
【図１７】
2005095115.tif 000019
【図１８】
2005095115.tif 000020
【図１９】
2005095115.tif 000021
【図２０】
2005095115.tif 000022
【図２１】
2005095115.tif 000023
【図２２】
2005095115.tif 000024
【図２３】
2005095115.tif 000025
【図２４】
2005095115.tif 000026
【図２５】
2005095115.tif 000027
【図２６】
2005095115.tif 000028
【図２７】
2005095115.tif 000029
【図２８】
2005095115.tif 000030
【図２９】
2005095115.tif 000031
【図３０】
2005095115.tif 000032
【図３１】
2005095115.tif 000033
【図３２】
2005095115.tif 000034
【図３３】
2005095115.tif 000035
【図３４】
2005095115.tif 000036
【図３５】
2005095115.tif 000037
【図３６】
2005095115.tif 000038
【図３７】
2005095115.tif 000039
【図３８】
2005095115.tif 000040
【図３９】
2005095115.tif 000041
【図４０】
2005095115.tif 000042
【図４１】
2005095115.tif 000043
【図４２】
2005095115.tif 000044
【図４３】
2005095115.tif 000045
【図４４】
2005095115.tif 000046
【図４５】
2005095115.tif 000047
【図４６】
2005095115.tif 000048
【図４７】
2005095115.tif 000049
【図４８】
2005095115.tif 000050
【図４９】
2005095115.tif 000051
【図５０】
2005095115.tif 000052
【図５１】
2005095115.tif 000053
【図５２】
2005095115.tif 000054
【図５３】
2005095115.tif 000055
【図５４】
2005095115.tif 000056
【図５５】
2005095115.tif 000057
【図５６】
2005095115.tif 000058
【図５７】
2005095115.tif 000059
【図５８】
2005095115.tif 000060
【図５９】
2005095115.tif 000061
【図６０】
2005095115.tif 000062
【図６１】
2005095115.tif 000063
【図６２】
2005095115.tif 000064
【図６３】
2005095115.tif 000065
【図６４】
2005095115.tif 000066
【図６５】
2005095115.tif 000067
【図６６】
2005095115.tif 000068
【図６７】
2005095115.tif 000069
【図６８】
2005095115.tif 000070